(57)【特許請求の範囲】
【請求項１】
サービングセルにキャンプオンされたユーザ機器（ＵＥ）のワイヤレス通信の方法であって、
前記ＵＥがキャンプオンされた前記サービングセルのネイバリングセルのリストを受信することと、
サービスエリア識別子（ＳＡＩ）のリストを受信することと、ＳＡＩの前記リストが、前記サービングセルと、前記ネイバリングセルのうちの１つまたは複数とによってサポートされるＳＡＩを含み、置換されたＳＡＩが、ネイバリングセルの前記リスト中に含まれる前記ネイバリングセルの各々のための第１のＳＡＩインデックスとネイバリングセルインデックスとを含み、前記ネイバリングセルインデックスは、対応するネイバリングセルにおける前記第１のＳＡＩの利用可能性を示し、
前記第１のＳＡＩをサポートする１つまたは複数のネイバリングセルを決定するために前記置換されたＳＡＩを処理することと、
を備える、方法。
【請求項２】
前記第１のＳＡＩが、複数のビットを備えるＳＡＩインデックスの１０進値または１６進値のうちの１つとしてフォーマットされ、マッピング情報が前記ＳＡＩインデックスのマッピング領域中に含まれ、前記処理することが、
前記第１のＳＡＩを前記ＳＡＩインデックスに変換することと、
前記マッピング領域からマッピング情報を取得することと、
前記マッピング情報に基づいて前記第１のＳＡＩをサポートする前記１つまたは複数のネイバリングセルを決定することと、
を備える、請求項１に記載の方法。
【請求項３】
前記ＳＡＩインデックスの前記マッピング領域が前記ＳＡＩインデックスの最上位ビット（ＭＳＢ）領域に対応する、請求項２に記載の方法。
【請求項４】
前記ＭＳＢ領域が複数の拡張ビットを備え、前記マッピング領域が前記複数の拡張ビットのうちの１つまたは複数に対応する、請求項３に記載の方法。
【請求項５】
前記マッピング領域が前記１つまたは複数のネイバリングセルの各々について１ビットを備える、請求項２に記載の方法。
【請求項６】
ネイバリングセルに対応するビットの値は、そのネイバリングセルが前記第１のＳＡＩをサポートするかどうかを示す、請求項５に記載の方法。
【請求項７】
関心インジケーションメッセージを前記サービングセルに送ることをさらに備え、前記関心インジケーションメッセージは、前記ＵＥがそれにハンドオーバすることを希望するネイバリングセルの物理セル識別情報（ＰＣＩ）を含む、請求項１に記載の方法。
【請求項８】
前記関心インジケーションメッセージが、前記ＰＣＩに対応する前記ネイバリングセル上でキャリアアグリゲーションサポートを開始するためのキャリアアグリゲーションインデックス（ＣＡＩ）をさらに含む、請求項７に記載の方法。
【請求項９】
ＳＡＩの前記リストがセルのセットに関連付けられ、セルの前記セット中の各セルが物理セル識別情報（ＰＣＩ）によって識別される、請求項１に記載の方法。
【請求項１０】
ネイバリングセルの前記リストが、前記ＵＥによって受信された第１のシステム情報メッセージ中に含まれるインデックスに基づいて取得され、前記インデックスが、ＳＡＩの前記リスト中の少なくとも１つのＳＡＩについて、前記少なくとも１つのＳＡＩをサポートするＰＣＩのセットを暗黙的に定義する、請求項９に記載の方法。
【請求項１１】
ワイヤレス通信のためのユーザ機器（ＵＥ）であって、
前記ＵＥがキャンプオンされたサービングセルのネイバリングセルのリストを受信するための手段と、
サービスエリア識別子（ＳＡＩ）のリストを受信するための手段と、ＳＡＩの前記リストが、前記サービングセルと、前記ネイバリングセルのうちの１つまたは複数とによってサポートされるＳＡＩを含み、置換されたＳＡＩが、ネイバリングセルの前記リスト中に含まれる前記ネイバリングセルの各々のための第１のＳＡＩインデックスとネイバリングセルインデックスとを含み、前記ネイバリングセルインデックスは、対応するネイバリングセルにおける前記第１のＳＡＩの利用可能性を示し、
前記第１のＳＡＩをサポートする１つまたは複数のネイバリングセルを決定するために前記置換されたＳＡＩを処理するための手段と、
を備える、ＵＥ。
【請求項１２】
コンピュータプログラムであって、コンピュータシステムに、前記コンピュータプログラムが前記コンピュータシステム上で実行されるときに、請求項１乃至１０のうちのいずれかの方法のステップを実行させるための命令を備える、コンピュータプログラム。
【請求項１３】
サービングセルをサポートするネットワークコンポーネントのワイヤレス通信の方法であって、
前記サービングセルのネイバリングセルのリストを第１のシステム情報メッセージ中に含めることと、
サービスエリア識別子（ＳＡＩ）のリストを第２のシステム情報メッセージ中に含めることと、ＳＡＩの前記リストが、前記サービングセルと、前記ネイバリングセルのうちの１つまたは複数とによってサポートされる複数のＳＡＩを含み、
ここにおいて、前記複数のＳＡＩのうちの少なくとも１つが、ネイバリングセルの前記リスト中に含まれる前記ネイバリングセルの各々のための第１のＳＡＩインデックスとネイバリングセルインデックスとを含む置換されたＳＡＩを備え、前記ネイバリングセルインデックスは、対応するネイバリングセルにおける前記第１のＳＡＩの利用可能性を示し、
を備える、方法。
【請求項１４】
サービングセルをサポートするネットワークコンポーネントのワイヤレス通信のための装置であって、
前記サービングセルのネイバリングセルのリストを第１のシステム情報メッセージ中に含めるための手段と、
サービスエリア識別子（ＳＡＩ）のリストを第２のシステム情報メッセージ中に含めるための手段と、ＳＡＩの前記リストが、前記サービングセルと、前記ネイバリングセルのうちの１つまたは複数とによってサポートされる複数のＳＡＩを含み、
ここにおいて、前記複数のＳＡＩのうちの少なくとも１つが、ネイバリングセルの前記リスト中に含まれる前記ネイバリングセルの各々のための第１のＳＡＩとネイバリングセルインデックスとを含む置換されたＳＡＩを備え、前記ネイバリングセルインデックスは、対応するネイバリングセルにおける前記第１のＳＡＩの利用可能性を示し、
を備える、装置。
【請求項１５】
コンピュータプログラムであって、コンピュータシステムに、前記コンピュータプログラムが前記コンピュータシステム上で実行されるときに、請求項１３の方法のステップを実行させるための命令を備える、コンピュータプログラム。
【発明の詳細な説明】
【関連出願の相互参照】
【０００１】
[0001]本出願は、それらの全体が参照により本明細書に明確に組み込まれる、２０１４年９月９日に出願された「Derivation of eMBMS Neighbor SAI Information with Correlation Bit-Map」と題する米国仮出願第６２／０４８，１９１号、および２０１５年９月４日に出願された「DERIVATION OF EMBMS NEIGHBOR SAI INFORMATION WITH CORRELATION BIT-MAP」と題する米国特許出願第１４／８４６，３３５号の利益を主張する。
【背景技術】
【０００２】
分野
[0002]本開示は、一般に通信システムに関し、より詳細には、相関ビットマップ（correlation bit-map）を用いたｅＭＢＭＳネイバリングサービスエリア識別子（ＳＡＩ：service area identifier）情報の導出に関する。
【０００３】
背景技術
[0003]ワイヤレス通信システムは、テレフォニー、ビデオ、データ、メッセージング、およびブロードキャストなど、様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004]これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ（登録商標）：Long Term Evolution）である。ＬＴＥは、第３世代パートナーシッププロジェクト（３ＧＰＰ（登録商標）：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善すること、コストを下げること、サービスを改善すること、新しいスペクトルを利用すること、およびダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合することによって、モバイルブロードバンドインターネットアクセスをより良くサポートするように設計されている。しかしながら、モバイルブロードバンドアクセスに対する需要が増加し続けるにつれて、ＬＴＥ技術におけるさらなる改善の必要性が存在する。好ましくは、これらの改善は、他の多元接続技術と、これらの技術を採用する電気通信規格とに適用可能であるべきである。
【発明の概要】
【０００５】
[0005]本明細書で開示される態様のうちの１つまたは複数によれば、ユーザ機器（ＵＥ）が、ＵＥがキャンプオンされたサービングセルによってサポートされるサービスエリア識別子（ＳＡＩｓ）のリストを受信する。リストは、サービングセルのネイバリングセルによってサポートされるＳＡＩｓをも含む。ＳＡＩｓは、ネイバリングセルのうちの１つまたは複数に各ＳＡＩをマッピングするビットマッピング情報を含むようにフォーマットされ得る。ビットマッピングを介して相関させられるべきネイバリングセルは、ＵＥにＳＡＩリストを与えたＳＩＢメッセージ中に含まれるネイバリングセルに対応し得る。たとえば、ＳＩＢ１５は、ＳＡＩリストとネイバリングセルのリストの両方を含み得る。代替的に、ビットマッピングを介して相関させられるべきネイバリングセルは、ＳＡＩリストを与えたＳＩＢメッセージとは異なる別個のＳＩＢメッセージ中でＵＥに与えられるネイバリングセルのリスト中に含まれ得る。たとえば、ＳＩＢ１５はＳＡＩリストを含み得、ＳＩＢ４またはＳＩＢ５のうちの１つまたは複数はネイバリングセルのリストを含み得る。ビットマッピングは、ＵＥがネイバリングセルへのＳＡＩｓのマッピングを取得することを可能にする。ビットマッピングは、ビットマッピングが、マルチセル、マルチバンドシナリオの下でより効率的なｅＭＢＭＳサービスアクティブ化を与え、セル境界において周波数内セルカバレージを拡張し、ｅＭＢＭＳサービスに対するキャリアアグリゲーションサポートについての特定のセルのより正確な要求を与えるという点で有益である。
【０００６】
[0006]本開示の一態様では、方法、コンピュータプログラム製品、および装置が提供される。ＵＥが、ＵＥのサービングセルのネイバリングセルのリストを受信する。ネイバリングセルのリストは、第１のシステム情報メッセージの第１のパラメータ中に含まれ得る。ＵＥは、ＳＡＩｓのリストをも受信する。ＳＡＩリストは、第２のシステム情報メッセージの第２のパラメータ中に含まれ得る。ＳＡＩｓのリストは、サービングセルと、ネイバリングセルのうちの１つまたは複数とによってサポートされるＳＡＩｓを含む。ＳＡＩｓのうちの少なくとも１つが、ネイバリングセルのリスト中に含まれるネイバリングセルのうちの１つまたは複数にＳＡＩをマッピングするマッピング情報を含むようにフォーマットされる。ＵＥは、ＳＡＩをサポートする１つまたは複数のネイバリングセルを決定するために少なくとも１つのＳＡＩを処理する。１つまたは複数のネイバリングセルは、周波数間ネイバリングセル（an inter-frequency neighboring cell）または周波数内ネイバリングセル（an intra-frequency neighboring cell）のいずれかであり得る。
【０００７】
[0007]別の態様では、基地局などのネットワークコンポーネントが、サービングセルのネイバリングセルのリストを第１のシステム情報メッセージ中に含め、ＳＡＩｓのリストを第２のシステム情報メッセージ中に含める。第１のシステム情報メッセージと第２のシステム情報とは、同じメッセージ、たとえば、ＳＩＢ１５であり得る。第１のシステム情報メッセージと第２のシステム情報とは、異なるメッセージであり得る。たとえば、第１のシステム情報メッセージはＳＩＢ４またはＳＩＢ５のうちの１つであり得、第２のシステム情報メッセージはＳＩＢ１５であり得る。ＳＡＩｓのリストは、サービングセルと、ネイバリングセルのうちの１つまたは複数とによってサポートされるＳＡＩｓを含む。ネットワークコンポーネントは、ネイバリングセルのリスト中に含まれるネイバリングセルのうちの１つまたは複数にＳＡＩをマッピングするマッピング情報を含むように、ＳＡＩｓのうちの少なくとも１つをフォーマットする。
【図面の簡単な説明】
【０００８】
【図１】[0008]図１は、ネットワークアーキテクチャの一例を示す図である。
【図２】[0009]図２は、アクセスネットワークの一例を示す図である。
【図３】[0010]図３は、ＬＴＥにおけるＤＬフレーム構造の一例を示す図である。
【図４】[0011]図４は、ＬＴＥにおけるＵＬフレーム構造の一例を示す図である。
【図５】[0012]図５は、ユーザプレーンおよび制御プレーンのための無線プロトコルアーキテクチャの一例を示す図である。
【図６】[0013]図６は、アクセスネットワーク中の発展型ノードＢおよびユーザ機器の一例を示す図である。
【図７Ａ】[0014]図７Ａは、マルチキャストブロードキャスト単一周波数ネットワーク中の発展型マルチメディアブロードキャストマルチキャストサービスチャネル構成の一例を示す図である。
【図７Ｂ】[0015]図７Ｂは、マルチキャストチャネルスケジューリング情報メディアアクセス制御の制御要素のフォーマットを示す図である。
【図８】[0016]図８は、単純な２つのセルの例におけるユーザサービス記述（ＵＳＤ：user service description）およびシステム情報ブロック（ＳＩＢ）メッセージの使用を示す図である。
【図９】[0017]図９は、異なる関連付けられたサービスエリア識別情報（ＳＡＩｓ）を有するセルグルーピングを含む周波数内セルの図である。
【図１０】[0018]図１０は、周波数内および周波数間関係を形成するマクロセルおよびマイクロセルの図である。
【図１１】[0019]図１１は、ＳＩＢ１５中の正確なマッピングの欠如から生じ得るサービングセルとネイバリングセルとの間の行き当たりばったりの（hit-or-miss）状態の図である。
【図１２】[0020]図１２は、マルチバンドサービスの図である。
【図１３】[0021]図１３は、追加の周波数内および周波数間物理セル識別子（ＰＣＩ：physical cell identifier）リストパラメータをもつ例示的なＳＩＢ１５である。
【図１４】[0022]図１４は、サービングセルおよびいくつかの周波数内ネイバリングセル、サービングセルのための対応するＳＩＢ１５、ならびにＳＩＢ１５中に含まれる１６ビットＳＡＩインデックスの図である。
【図１５】[0023]図１５は、サービングセルおよびいくつかの周波数内ネイバリングセル、サービングセルのための対応するＳＩＢ１５、置換された（transposed）ＳＡＩ５インデックス、ならびに置換されたＳＡＩ２９インデックスの図である。
【図１６】図１６は、サービングセルおよびいくつかの周波数内ネイバリングセル、サービングセルのための対応するＳＩＢ１５、置換されたＳＡＩ５インデックス、ならびに置換されたＳＡＩ２９インデックスの図である。
【図１７】[0024]図１７は、拡張ＳＡＩインデックスの図である。
【図１８】[0025]図１８は、追加のパラメータ、ｍｂｍｓ−ｐｃｉ＿ｃａｉ＿ｉｎｔｅｒｅｓｔを含むｅＭＢＭＳ関心インジケータメッセージの図である。
【図１９】[0026]図１９は、周波数間パラメータのためのｍｂｍｓセル位置関連付け（ＣＰＡ：Cell Position-Association）をもつ例示的なＳＩＢ１５である。
【図２０】[0027]図２０は、１６ビットＣＰＡパラメータのフォーマットおよび３２ビットＣＰＡパラメータのフォーマットの図である。
【図２１】[0028]図２１は、サービングセルおよびいくつかの周波数内ネイバリングセル、サービングセルのための対応するＳＩＢ１５、サービングセルのための対応するＳＩＢ４、置換されたＳＡＩ５インデックス、ならびに置換されたＳＡＩ９インデックスの図である。
【図２２】図２２は、サービングセルおよびいくつかの周波数内ネイバリングセル、サービングセルのための対応するＳＩＢ１５、サービングセルのための対応するＳＩＢ４、置換されたＳＡＩ５インデックス、ならびに置換されたＳＡＩ９インデックスの図である。
【図２３】[0029]図２３は、追加のパラメータ、ｍｂｍｓ−ｐｃｉ＿ｃａｉ＿ｉｎｔｅｒｅｓｔを含むｅＭＢＭＳ関心インジケータメッセージの図である。
【図２４】[0030]図２４は、ＳＩＢ１５の部分の図である。
【図２５】図２５は、ＳＩＢ１５およびＳＩＢ５の部分の図である。
【図２６】図２６は、ＳＩＢ５およびＳＩＢ４の部分の図である。
【図２７】[0031]図２７は、簡略化されたＳＩＢ１５の図である。
【図２８】[0032]図２８は、ハッシュを含むＳＩＢ１５の図である。
【図２９】[0033]図２９は、ユーザ機器のワイヤレス通信の方法のフローチャートである。
【図３０】[0034]図３０は、図２９のフローチャートを実装する例示的な装置中の異なる手段／コンポーネント間のデータフローを示す概念データフロー図である。
【図３１】[0035]図３１は、図２９のフローチャートを実装する処理システムを採用する装置のためのハードウェア実装形態の一例を示す図である。
【図３２】[0036]図３２は、ネットワーク要素のワイヤレス通信の方法のフローチャートである。
【図３３】[0037]図３３は、図３２のフローチャートを実装する例示的な装置中の異なる手段／コンポーネント間のデータフローを示す概念データフロー図である。
【図３４】[0038]図３４は、図３２のフローチャートを実装する処理システムを採用する装置のためのハードウェア実装形態の一例を示す図である。
【図３５】[0039]図３５は、サービングセルおよびいくつかの周波数間ネイバリングセル、サービングセルのための対応するＳＩＢ１５、ならびにいくつかの置換されたＳＡＩインデックスの図である。
【図３６】
【図３７】
【詳細な説明】
【０００９】
[0040]添付の図面に関して以下に記載する詳細な説明は、様々な構成の説明として意図され、本明細書で説明される概念が実施され得る唯一の構成を表すことを意図されるものではない。詳細な説明は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造およびコンポーネントがブロック図の形式で示される。
【００１０】
[0041]次に、様々な装置および方法に関して電気通信システムのいくつかの態様が提示される。これらの装置および方法は、以下の詳細な説明において説明され、（「要素」と総称される）様々なブロック、モジュール、コンポーネント、回路、動作、プロセス、アルゴリズムなどによって添付の図面に示される。これらの要素は、電子ハードウェア、コンピュータソフトウェア、またはそれらの任意の組合せを使用して実装され得る。そのような要素がハードウェアとして実装されるか、ソフトウェアとして実装されるかは、特定の適用例および全体的なシステムに課される設計制約に依存する。
【００１１】
[0042]例として、要素、または要素の任意の部分、または要素の任意の組合せは、１つまたは複数のプロセッサを含む「処理システム」を用いて実装され得る。プロセッサの例は、マイクロプロセッサ、マイクロコントローラ、デジタル信号プロセッサ（ＤＳＰｓ）、フィールドプログラマブルゲートアレイ（ＦＰＧＡｓ）、プログラマブル論理デバイス（ＰＬＤｓ）、状態機械、ゲート論理、個別ハードウェア回路、および本開示全体にわたって説明される様々な機能を実行するように構成された他の好適なハードウェアを含む。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１２】
[0043]したがって、１つまたは複数の例示的な実施形態では、説明される機能は、ハードウェア、ソフトウェア、ファームウェア、またはそれらの任意の組合せで実装され得る。ソフトウェアで実装される場合、機能は、コンピュータ可読媒体上に記憶され得るか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ランダムアクセスメモリ（ＲＡＭ）、読取り専用メモリ（ＲＯＭ）、電気的消去可能プログラマブルＲＯＭ（ＥＥＰＲＯＭ（登録商標））、コンパクトディスクＲＯＭ（ＣＤ−ＲＯＭ）または他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。上記の組合せもコンピュータ可読媒体の範囲内に含まれるべきである。
【００１３】
[0044]図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、事業者の（Operator's）インターネットプロトコル（ＩＰ）サービス１２２とを含み得る。ＥＰＳは他のアクセスネットワークと相互接続することができるが、簡単のために、それらのエンティティ／インターフェースは図示されていない。図示のように、ＥＰＳはパケット交換サービスを提供するが、当業者が容易に諒解するように、本開示全体にわたって提示される様々な概念は、回線交換サービスを提供するネットワークに拡張され得る。
【００１４】
[0045]Ｅ−ＵＴＲＡＮは、発展型ノードＢ（ｅＮＢ）１０６と他のｅＮＢｓ１０８とを含み、マルチキャスト協調エンティティ（ＭＣＥ：Multicast Coordination Entity）１２８を含み得る。ｅＮＢ１０６は、ＵＥ１０２に対してユーザプレーンプロトコル終端と制御プレーンプロトコル終端とを与える。ｅＮＢ１０６は、バックホール（たとえば、Ｘ２インターフェース）を介して他のｅＮＢｓ１０８に接続され得る。ＭＣＥ１２８は発展型マルチメディアブロードキャストマルチキャストサービス（ＭＢＭＳ）（ｅＭＢＭＳ）のために時間／周波数無線リソースを割り振り、ｅＭＢＭＳのために無線構成（たとえば、変調およびコーディング方式（ＭＣＳ：modulation and coding scheme））を決定する。ＭＣＥ１２８は別個のエンティティ、またはｅＮＢ１０６の一部であり得る。ｅＮＢ１０６は、基地局、ノードＢ、アクセスポイント、基地トランシーバ局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅＮＢ１０６は、ＵＥ１０２にＥＰＣ１１０へのアクセスポイントを与える。ＵＥｓ１０２の例は、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、タブレット、または任意の他の同様の機能デバイスを含む。ＵＥ１０２は、当業者によって、モバイル局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１５】
[0046]ｅＮＢ１０６はＥＰＣ１１０に接続される。ＥＰＣ１１０は、モビリティ管理エンティティ（ＭＭＥ：Mobility Management Entity）１１２と、ホーム加入者サーバ（ＨＳＳ：Home Subscriber Server）１２０と、他のＭＭＥｓ１１４と、サービングゲートウェイ１１６と、マルチメディアブロードキャストマルチキャストサービス（ＭＢＭＳ）ゲートウェイ１２４と、ブロードキャストマルチキャストサービスセンター（ＢＭ−ＳＣ：Broadcast Multicast Service Center）１２６と、パケットデータネットワーク（ＰＤＮ：Packet Data Network）ゲートウェイ１１８とを含み得る。ＭＭＥ１１２は、ＵＥ１０２とＥＰＣ１１０との間のシグナリングを処理する制御ノードである。概して、ＭＭＥ１１２はベアラおよび接続管理を提供する。すべてのユーザＩＰパケットはサービングゲートウェイ１１６を通して転送され得、それはＰＤＮゲートウェイ１１８に接続される。ＰＤＮゲートウェイ１１８はＵＥのＩＰアドレス割振りならびに他の機能を与える。ＰＤＮゲートウェイ１１８およびＢＭ−ＳＣ１２６はＩＰサービス１２２に接続される。ＩＰサービス１２２は、インターネット、イントラネット、ＩＰマルチメディアサブシステム（ＩＭＳ：IP Multimedia Subsystem）、ＰＳストリーミングサービス（ＰＳＳ：PS Streaming Service）、および／または他のＩＰサービスを含み得る。ＢＭ−ＳＣ１２６は、ＭＢＭＳユーザサービスプロビジョニングおよび配信のための機能を与え得る。ＢＭ−ＳＣ１２６は、コンテンツプロバイダＭＢＭＳ送信のためのエントリポイントとして働き得、パブリックランドモバイルネットワーク（ＰＬＭＮ：public land mobile network）内のＭＢＭＳベアラサービスを許可し、開始するために使用され得、ＭＢＭＳ送信をスケジューリングし、配信するために使用され得る。ＭＢＭＳゲートウェイ１２４は、特定のサービスをブロードキャストするマルチキャストブロードキャスト単一周波数ネットワーク（ＭＢＳＦＮ）エリアに属するｅＮＢｓ（たとえば、１０６、１０８）にＭＢＭＳトラフィックを配信するために使用され得、セッション管理（開始／停止）と、ｅＭＢＭＳ関係の課金情報を集めることとを担当し得る。
【００１６】
[0047]図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅＮＢｓ２０８は、セル２０２のうちの１つまたは複数と重複するセルラー領域２１０を有し得る。より低い電力クラスのｅＮＢ２０８は、フェムトセル（たとえば、ホームｅＮＢ（ＨｅＮＢ：home eNB））、ピコセル、マイクロセル、またはリモートラジオヘッド（ＲＲＨ：remote radio head）であり得る。マクロｅＮＢｓ２０４は各々、それぞれのセル２０２に割り当てられ、セル２０２中のすべてのＵＥｓ２０６にＥＰＣ１１０へのアクセスポイントを与えるように構成される。アクセスネットワーク２００のこの例には集中型コントローラはないが、代替構成では集中型コントローラが使用され得る。ｅＮＢｓ２０４は、無線ベアラ制御、承認制御（admission control）、モビリティ制御、スケジューリング、セキュリティ、およびサービングゲートウェイ１１６への接続性を含む、すべての無線関係機能を担当する。ｅＮＢは１つまたは複数の（たとえば、３つの）（セクタとも呼ばれる）セルをサポートし得る。「セル」という用語は、この用語が使用されるコンテキストに応じて、ｅＮＢの最小カバレージエリアおよび／または特定のカバレージエリアをサービスする（serving）ｅＮＢサブシステムを指すことがある。さらに、「ｅＮＢ」、「基地局」、および「セル」という用語は、本明細書では互換的に使用され得る。
【００１７】
[0048]アクセスネットワーク２００によって採用される変調および多元接続方式は、展開されている特定の電気通信規格に応じて異なり得る。ＬＴＥ適用例では、周波数分割複信（ＦＤＤ）と時分割複信（ＴＤＤ）の両方をサポートするために、ＯＦＤＭがＤＬ上で使用され、ＳＣ−ＦＤＭＡがＵＬ上で使用される。当業者が以下の詳細な説明から容易に諒解するように、本明細書で提示される様々な概念はＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、モバイル局にブロードバンドインターネットアクセスを与えるためにＣＤＭＡを採用する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課される全体的な設計制約に依存することになる。
【００１８】
[0049]ｅＮＢｓ２０４は、ＭＩＭＯ技術をサポートする複数のアンテナを有し得る。ＭＩＭＯ技術の使用は、ｅＮＢｓ２０４が、空間多重化と、ビームフォーミングと、送信ダイバーシティとをサポートするために空間領域を活用することを可能にする。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥｓ２０６に送信され得る。これは、各データストリームを空間的にプリコーディングし（すなわち、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグネチャとともに（１つまたは複数の）ＵＥ２０６に到着し、それは、（１つまたは複数の）ＵＥ２０６の各々が、そのＵＥ２０６に宛てられた１つまたは複数のデータストリームを復元することを可能にする。ＵＬ上で、各ＵＥ２０６は、空間的にプリコーディングされたデータストリームを送信し、それは、ｅＮＢ２０４が、空間的にプリコーディングされた各データストリームのソースを識別することを可能にする。
【００１９】
[0050]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００２０】
[0051]以下の詳細な説明では、ＤＬ上でＯＦＤＭをサポートするＭＩＭＯシステムを参照しながらアクセスネットワークの様々な態様が説明される。ＯＦＤＭは、ＯＦＤＭシンボル内のいくつかのサブキャリアを介してデータを変調するスペクトル拡散技法である。サブキャリアは正確な周波数で離間される。離間（spacing）は、受信機がサブキャリアからデータを復元することを可能にする「直交性」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ）を補償するために、ＳＣ−ＦＤＭＡをＤＦＴ拡散ＯＦＤＭ信号の形態で使用し得る。
【００２１】
[0052]図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、ノーマルサイクリックプレフィックスの場合、リソースブロックは、合計８４個のリソース要素について、周波数領域中に１２個の連続するサブキャリアを含んでおり、時間領域中に７個の連続するＯＦＤＭシンボルを含んでいる。拡張サイクリックプレフィックスの場合、リソースブロックは、合計７２個のリソース要素について、周波数領域中に１２個の連続するサブキャリアを含んでおり、時間領域中に６個の連続するＯＦＤＭシンボルを含んでいることがある。Ｒ３０２、３０４として示されるリソース要素のうちのいくつかは、ＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ：physical DL shared channel）がマッピングされるリソースブロック上でのみ送信される。各リソース要素によって搬送されるビット数は変調方式に依存する。したがって、ＵＥが受信するリソースブロックが多いほど、また変調方式が高いほど、ＵＥのデータレートは高くなる。
【００２２】
[0053]図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報の送信のためにＵＥｓに割り当てられ得る。データセクションは、制御セクション中に含まれないすべてのリソースブロックを含み得る。ＵＬフレーム構造は、単一のＵＥがデータセクション中の連続サブキャリアのすべてを割り当てられることを可能にし得る、連続サブキャリアを含むデータセクションを生じる。
【００２３】
[0054]ＵＥは、ｅＮＢに制御情報を送信するために、制御セクション中のリソースブロック４１０ａ、４１０ｂを割り当てられ得る。ＵＥは、ｅＮＢにデータを送信するために、データセクション中のリソースブロック４２０ａ、４２０ｂをも割り当てられ得る。ＵＥは、制御セクション中の割り当てられたリソースブロック上の物理ＵＬ制御チャネル（ＰＵＣＣＨ：physical UL control channel）において制御情報を送信し得る。ＵＥは、データセクション中の割り当てられたリソースブロック上の物理ＵＬ共有チャネル（ＰＵＳＣＨ：physical UL shared channel）においてデータのみまたはデータと制御情報の両方を送信し得る。ＵＬ送信は、サブフレームの両方のスロットにわたり（span）得、周波数上でホッピングし（hop）得る。
【００２４】
[0055]初期システムアクセスを実行し、物理ランダムアクセスチャネル（ＰＲＡＣＨ：physical random access channel）４３０においてＵＬ同期を達成するために、リソースブロックのセットが使用され得る。ＰＲＡＣＨ４３０は、ランダムシーケンスを搬送し、いかなるＵＬデータ／シグナリングをも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）においてまたは少数の連続サブフレームのシーケンスにおいて搬送され、ＵＥは、フレーム（１０ｍｓ）ごとに単一のＰＲＡＣＨ試みのみを行うことができる。
【００２５】
[0056]図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、３つのレイヤ、すなわち、レイヤ１、レイヤ２、およびレイヤ３とともに示されている。レイヤ１（Ｌ１レイヤ）は最下位レイヤであり、様々な物理レイヤ信号処理機能を実装する。Ｌ１レイヤは本明細書では物理レイヤ５０６と呼ばれる。レイヤ２（Ｌ２レイヤ）５０８は、物理レイヤ５０６の上にあり、物理レイヤ５０６を介したＵＥとｅＮＢとの間のリンクを担当する。
【００２６】
[0057]ユーザプレーンでは、Ｌ２レイヤ５０８は、ネットワーク側でｅＮＢにおいて終端される、メディアアクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側でＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含むＬ２レイヤ５０８の上にいくつかの上位レイヤを有し得る。
【００２７】
[0058]ＰＤＣＰサブレイヤ５１４は、異なる無線ベアラと論理チャネルとの間の多重化を提供する。ＰＤＣＰサブレイヤ５１４はまた、無線送信オーバーヘッドを低減するための上位レイヤデータパケットのヘッダ圧縮と、データパケットを暗号化することによるセキュリティと、ＵＥｓのためのｅＮＢｓ間のハンドオーバサポートとを与える。ＲＬＣサブレイヤ５１２は、上位レイヤデータパケットのセグメンテーションおよびリアセンブリと、紛失データパケットの再送信と、ハイブリッド自動再送要求（ＨＡＲＱ：hybrid automatic repeat request）による、順が狂った（out-of-order）受信を補正するためのデータパケットの並べ替えとを提供する。ＭＡＣサブレイヤ５１０は、論理チャネルとトランスポートチャネルとの間の多重化を提供する。ＭＡＣサブレイヤ５１０はまた、ＵＥｓの間で１つのセル中の様々な無線リソース（たとえば、リソースブロック）を割り振ることを担当する。ＭＡＣサブレイヤ５１０はまた、ＨＡＲＱ動作を担当する。
【００２８】
[0059]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ）サブレイヤ５１６を含む。ＲＲＣサブレイヤ５１６は、無線リソース（たとえば、無線ベアラ）を取得することと、ｅＮＢとＵＥとの間のＲＲＣシグナリングを使用して下位レイヤを構成することとを担当する。
【００２９】
[0060]図６は、アクセスネットワーク中でＵＥ６５０と通信しているｅＮＢ６１０のブロック図である。ＤＬでは、コアネットワークからの上位レイヤパケットがコントローラ／プロセッサ６７５に与えられる。コントローラ／プロセッサ６７５はＬ２レイヤの機能を実装する。ＤＬでは、コントローラ／プロセッサ６７５は、様々な優先度メトリックに基づいて、ヘッダ圧縮と、暗号化と、パケットのセグメンテーションおよび並べ替えと、論理チャネルとトランスポートチャネルとの間の多重化と、ＵＥ６５０への無線リソース割振りとを提供する。コントローラ／プロセッサ６７５はまた、ＨＡＲＱ動作と、紛失パケットの再送信と、ＵＥ６５０へのシグナリングとを担当する。
【００３０】
[0061]送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づく信号コンスタレーション（constellations）へのマッピングとを可能にするために、コーディングとインターリービングとを含む。コーディングされ、変調されたシンボルは、次いで並列ストリームに分割される。各ストリームは、次いで、時間領域ＯＦＤＭシンボルストリームを搬送する物理チャネルを生成するために、ＯＦＤＭサブキャリアにマッピングされ、時間領域および／または周波数領域中で基準信号（たとえば、パイロット）と多重化され、次いで逆高速フーリエ変換（ＩＦＦＴ）を使用して互いに合成される。ＯＦＤＭストリームは、複数の空間ストリームを生成するために空間的にプリコーディングされる。チャネル推定器６７４からのチャネル推定値は、コーディングおよび変調方式を決定するために、ならびに空間処理のために使用され得る。チャネル推定値は、ＵＥ６５０によって送信される基準信号および／またはチャネル状態フィードバックから導出され得る。各空間ストリームは、次いで、別個の送信機６１８ＴＸを介して異なるアンテナ６２０に与えられ得る。各送信機６１８ＴＸは、送信のためにそれぞれの空間ストリームでＲＦキャリアを変調し得る。
【００３１】
[0062]ＵＥ６５０において、各受信機６５４ＲＸは、それのそれぞれのアンテナ６５２を通して信号を受信する。各受信機６５４ＲＸは、ＲＦキャリア上に変調された情報を復元し、受信（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行し得る。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと、基準信号とは、ｅＮＢ６１０によって送信される、可能性が最も高い信号コンスタレーションポイントを決定することによって復元され、復調される。これらの軟判定は、チャネル推定器６５８によって計算されるチャネル推定値に基づき得る。軟判定は、次いで、物理チャネル上でｅＮＢ６１０によって最初に送信されたデータと制御信号とを復元するために復号され、デインターリーブされる。データおよび制御信号は、次いで、コントローラ／プロセッサ６５９に与えられる。
【００３２】
[0063]コントローラ／プロセッサ６５９はＬ２レイヤを実装する。コントローラ／プロセッサは、プログラムコードとデータとを記憶するメモリ６６０に関連付けられ得る。メモリ６６０はコンピュータ可読媒体と呼ばれることがある。ＵＬでは、コントローラ／プロセッサ６５９は、コアネットワークからの上位レイヤパケットを復元するために、トランスポートチャネルと論理チャネルとの間の多重分離（demultiplexing）と、パケットリアセンブリと、復号（decipher）と、ヘッダ復元（decompression）と、制御信号処理とを提供する。上位レイヤパケットは、次いで、Ｌ２レイヤの上のすべてのプロトコルレイヤを表すデータシンク６６２に与えられる。様々な制御信号はまた、Ｌ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用する誤り検出を担当する。
【００３３】
[0064]ＵＬでは、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明された機能と同様に、コントローラ／プロセッサ６５９は、ヘッダ圧縮と、暗号化と、パケットのセグメンテーションおよび並べ替えと、ｅＮＢ６１０による無線リソース割振りに基づく論理チャネルとトランスポートチャネルとの間の多重化とを提供することによって、ユーザプレーンおよび制御プレーンのためのＬ２レイヤを実装する。コントローラ／プロセッサ６５９はまた、ＨＡＲＱ動作と、紛失パケットの再送信と、ｅＮＢ６１０へのシグナリングとを担当する。
【００３４】
[0065]ｅＮＢ６１０によって送信される基準信号またはフィードバックからの、チャネル推定器６５８によって導出されるチャネル推定値は、適切なコーディングおよび変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられ得る。各送信機６５４ＴＸは、送信のためにそれぞれの空間ストリームでＲＦキャリアを変調し得る。
【００３５】
[0066]ＵＬ送信は、ＵＥ６５０における受信機機能に関して説明された様式と同様の様式でｅＮＢ６１０において処理される。各受信機６１８ＲＸは、それのそれぞれのアンテナ６２０を通して信号を受信する。各受信機６１８ＲＸは、ＲＦキャリア上に変調された情報を復元し、その情報をＲＸプロセッサ６７０に与える。ＲＸプロセッサ６７０はＬ１レイヤを実装し得る。
【００３６】
[0067]コントローラ／プロセッサ６７５はＬ２レイヤを実装する。コントローラ／プロセッサ６７５は、プログラムコードとデータとを記憶するメモリ６７６に関連付けられ得る。メモリ６７６はコンピュータ可読媒体と呼ばれることがある。ＵＬでは、コントローラ／プロセッサ６７５は、ＵＥ６５０からの上位レイヤパケットを復元するために、トランスポートチャネルと論理チャネルとの間の多重分離と、パケットリアセンブリと、復号と、ヘッダ復元と、制御信号処理とを提供する。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用する誤り検出を担当する。
【００３７】
[0068]図７Ａは、ＭＢＳＦＮにおける発展型ＭＢＭＳ（ｅＭＢＭＳ）チャネル構成の一例を示す図７５０である。セル７５２’中のｅＮＢｓ７５２は第１のＭＢＳＦＮエリアを形成し得、セル７５４’中のｅＮＢｓ７５４は第２のＭＢＳＦＮエリアを形成し得る。ｅＮＢｓ７５２、７５４はそれぞれ、他のＭＢＳＦＮエリア、たとえば、合計８つまでのＭＢＳＦＮエリアに関連付けられ得る。ＭＢＳＦＮエリア内のセルが予約済みセルに指定され得る。予約済みセルは、マルチキャスト／ブロードキャストコンテンツを与えないが、セル７５２’、７５４’に時間同期され、ＭＢＳＦＮエリアへの干渉を制限するために、ＭＢＳＦＮリソース上で制限電力を有し得る。ＭＢＳＦＮエリア中の各ｅＮＢは、同じｅＭＢＭＳ制御情報とデータとを同期的に送信する。各エリアは、ブロードキャストサービスと、マルチキャストサービスと、ユニキャストサービスとをサポートし得る。ユニキャストサービスは、特定のユーザのために意図されたサービス、たとえば、ボイス呼である。マルチキャストサービスは、ユーザのグループによって受信され得るサービス、たとえば、サブスクリプションビデオサービスである。ブロードキャストサービスは、すべてのユーザによって受信され得るサービス、たとえば、ニュースブロードキャストである。図７Ａを参照すると、第１のＭＢＳＦＮエリアは、特定のニュースブロードキャストをＵＥ７７０に与えることなどによって、第１のｅＭＢＭＳブロードキャストサービスをサポートし得る。第２のＭＢＳＦＮエリアは、異なるニュースブロードキャストをＵＥ７６０に与えることなどによって、第２のｅＭＢＭＳブロードキャストサービスをサポートし得る。各ＭＢＳＦＮエリアは、複数の物理マルチキャストチャネル（ＰＭＣＨ：physical multicast channel）（たとえば、１５個のＰＭＣＨｓ）をサポートする。各ＰＭＣＨはマルチキャストチャネル（ＭＣＨ：multicast channel）に対応する。各ＭＣＨは、複数（たとえば、２９個）のマルチキャスト論理チャネルを多重化することができる。各ＭＢＳＦＮエリアは、１つのマルチキャスト制御チャネル（ＭＣＣＨ：multicast control channel）を有し得る。したがって、１つのＭＣＨは、１つのＭＣＣＨと複数のマルチキャストトラフィックチャネル（ＭＴＣＨｓ：multicast traffic channels）とを多重化し得、残りのＭＣＨｓは複数のＭＴＣＨｓを多重化し得る。
【００３８】
[0069]ＵＥは、ｅＭＢＭＳサービスアクセスの利用可能性と、対応するアクセス層（stratum）構成とを発見するためにＬＴＥセルにキャンプオンする（camp on）ことができる。第１の動作において、ＵＥは、システム情報ブロック（ＳＩＢ）１３（ＳＩＢ１３）を収集し得る。第２の動作において、ＳＩＢ１３に基づいて、ＵＥは、ＭＣＣＨ上でＭＢＳＦＮエリア構成メッセージを収集し得る。第３の動作において、ＭＢＳＦＮエリア構成メッセージに基づいて、ＵＥは、ＭＣＨスケジューリング情報（ＭＳＩ）ＭＡＣ制御要素を収集し得る。ＳＩＢ１３は、（１）セルによってサポートされる各ＭＢＳＦＮエリアのＭＢＳＦＮエリア識別子と、（２）ＭＣＣＨ繰り返し期間（たとえば、３２個、６４個、．．．、２５６個のフレーム）、ＭＣＣＨオフセット（たとえば、０個、１個、．．．、１０個のフレーム）、ＭＣＣＨ修正期間（たとえば、５１２個、１０２４個のフレーム）、シグナリング変調およびコーディング方式（ＭＣＳ）、繰り返し期間とオフセットとによって示される無線フレームのどのサブフレームがＭＣＣＨを送信することができるかを示すサブフレーム割振り情報など、ＭＣＣＨを収集するための情報と、（３）ＭＣＣＨ変更通知構成とを示し得る。各ＭＢＳＦＮエリアについて１つのＭＢＳＦＮエリア構成メッセージがある。ＭＢＳＦＮエリア構成メッセージは、（１）ＰＭＣＨ内の論理チャネル識別子によって識別される各ＭＴＣＨの一時的モバイルグループ識別情報（ＴＭＧＩ）および随意のセッション識別子と、（２）ＭＢＳＦＮエリアの各ＰＭＣＨを送信するための割り振られたリソース（すなわち、無線フレームおよびサブフレーム）およびそのエリア中のすべてのＰＭＣＨｓのための割り振られたリソースの割振り期間（たとえば、４個、８個、．．．、２５６個のフレーム）と、（３）ＭＳＩ  ＭＡＣ制御要素が送信されるＭＣＨスケジューリング期間（ＭＳＰ）（たとえば、８個、１６個、３２個、．．．、または１０２４個の無線フレーム）とを示し得る。ＴＭＧＩは、ｅＭＢＭＳベアラサービスを一意に識別する。単一のグローバルに一意のＴＭＧＩが、ＭＢＭＳベアラサービスごとにＢＭ−ＳＣによって割り振られ得る。
【００３９】
[0070]図７Ｂは、ＭＳＩ  ＭＡＣ制御要素のフォーマットを示す図７９０である。ＭＳＩ  ＭＡＣ制御要素は、ＭＳＰごとに１回送られ得る。ＭＳＩ  ＭＡＣ制御要素は、ＰＭＣＨの各スケジューリング期間の第１のサブフレームにおいて送られ得る。ＭＳＩ  ＭＡＣ制御要素は、ＰＭＣＨ内の各ＭＴＣＨの停止フレームおよびサブフレームを示すことができる。ＭＢＳＦＮエリアごとにＰＭＣＨ当たり１つのＭＳＩがあり得る。
【００４０】
[0071]ＭＢＭＳ受信のためのモビリティプロシージャは、ＵＥが（１つまたは複数の）セルを変更したとき、ＵＥがＭＢＳＦＮを介して（１つまたは複数の）ＭＢＭＳサービスを受信することを開始または継続することを可能にする。Ｅ−ＵＴＲＡＮプロシージャは、同じＭＢＳＦＮエリア内のＵＥのモビリティに関してサービス継続性のためのサポートを与える。同じ地理的エリア内で、ＭＢＭＳサービスは２つ以上の周波数上で与えられ得る。ＭＢＭＳサービスを与えるために使用される周波数は、ＰＬＭＮ内の地理的エリアごとに変化し得る。セル再選択を実行するＲＲＣアイドル状態（ＲＲＣ＿ＩＤＬＥ状態）において（１つまたは複数の）ＭＢＭＳサービスを受信しているか、またはＲＲＣ接続状態（ＲＲＣ＿ＣＯＮＮＥＣＴＥＤ状態）にあるＵＥｓは、ターゲットセルＭＣＣＨからターゲットセルＭＴＣＨ情報を取得する。
【００４１】
[0072]ネイバリングセルのネイバー周波数上でＭＢＭＳ関係システム情報および／またはＭＣＣＨを読み取る必要を回避するために、ＵＥは、ＵＥが、ＭＢＳＦＮを介してどの周波数がどのＭＢＭＳサービスを与えるかを気づかされ得るように、ユーザサービス記述（ＵＳＤ）などのＭＢＭＳ支援情報を与えられ得る。概して、ＥＰＣ１１０のＢＭ−ＳＣ１２６はＵＥにＵＳＤを与える。（３ＧＰＰ  ＴＳ２６．３４６、バージョン１１．０８に記載されている）ＵＳＤでは、各ＭＢＭＳサービスについて、アプリケーション／サービスレイヤは、ＭＢＭＳサービスのためのＴＭＧＩと、１つまたは複数のセッション開始時間、および対応するセッション終了時間を含むセッションスケジュールと、ＭＢＭＳサービスエリアに属する周波数および（３ＧＰＰ  ＴＳ２３．００３、バージョン１１．０８のセクション１５．３に記載されている）ＭＢＭＳサービスエリア識別情報（ＳＡＩｓ）とを与える。簡単のために、サービスは単一のベアラによって搬送されると仮定される。本開示はまた、すべてのサービスが同じキャリアを介して搬送される限り、サービスごとに複数のベアラ（すなわち潜在的に複数のＦＬＵＴＥセッション）に適用可能である。
【００４２】
[0073]前に述べたように、ＴＭＧＩはｅＭＢＭＳベアラサービスを一意に識別する。単一のグローバルに一意のＴＭＧＩが、ＭＢＭＳベアラサービスごとにＢＭ−ＳＣによって割り振られ得る。ＵＳＤは、ＴＭＧＩベアラへのサービスのマッピングが、サービスのためのデータブロードキャストを受信するためにアクティブ化されることを可能にする。ＵＳＤはまた、サービスに関連付けられたベアラ（ＴＭＧＩｓ）を提供するサービスエリアを識別するＳＡＩｓのリストをＵＥに示す。ｅＭＢＭＳにおいておよび第１のレベルにおいて、サービスエリアはＳＡＩｓのセットとして定義され、このマッピングは、ネットワーク事業者が、サービスを搬送するＳＡＩｓのセットを示すことを可能にすることに留意されたい。第２のレベルにおいて、ネットワーク中の各セルは、それがサポートするＳＡＩｓのセットで構成され、このマッピングは、ネットワークインフラストラクチャが、各サービスについて事業者によって与えられるＳＡＩリストに基づいて、どのコンテンツが各セル上で搬送されなければならないかを決定することを可能にする。各ＭＢＭＳサービスはまた、サービスのためのサービスエリアを識別するＳＡＩｓで構成されたセルの周波数に基づいて、サービスのための周波数のリストに関連付けられる。たとえば、あるＳＡＩは米国全体のサービスエリア（国家カバレージエリア）を識別し得、別のＳＡＩは１つの都市のサービスエリア（ローカルカバレージエリア）を識別し得る。ＵＳＤは、１つまたは複数の周波数と、特定のサービスのための各周波数に関連付けられた１つまたは複数のＳＡＩｓとを示し得る。周波数情報は、ＵＳＤとＳＩＢ１５の両方の中のＳＡＩ関係情報を理解しないＬＴＥリリース９デバイスのためのレガシー情報として含まれる。ＵＳＤは、いくつかのサービスのための情報を含み得る。ユーザがサービスを選定するとき、ＵＥは、ＭＡＣレイヤにおいて対応するＴＭＧＩによって識別されるｅＭＢＭＳベアラ上でデータの受信をアクティブ化することを試みる。
【００４３】
[0074]ＴＭＧＩによって識別されるサービスに関心があるＵＥは、どのＳＡＩｓがＴＭＧＩを与えるかを決定するためにＵＳＤを使用し得、ＵＳＤ中に含まれる情報はグローバルレベルであり、特定のエリアに関連付けられない。たとえば、ＳＡＩ１が周波数Ｆ１に関連付けられることをＵＳＤが示すとき、これは、ＳＡＩ１がネットワーク中のどこでもＦ１上で利用可能であることを意味しない。ＳＡＩ１は、地域エリアのために使用される可能性がある。ＵＥが地域エリアの外側にあるとき、ＳＡＩは、セルがＦ１上にあるとしても利用可能でないであろう。さらに、ＳＡＩ１が周波数Ｆ１およびＦ２に関連付けられることをＵＳＤが示すとき、これは、ＳＡＩ１がネットワーク中のどこでもＦ１およびＦ２上で利用可能であることを意味しない。ＳＡＩ１は、ネットワークのいくつかの部分上でＦ１上で、およびネットワークのいくつかの他の部分中でＦ２上で、搬送され得る。
【００４４】
[0075]したがって、ＵＥは、サービスアクティブ化において使用するための追加情報を与えられるべきである。ＳＩＢ１５情報は、ＵＥが位置する周囲エリアに局所化され、したがって、ＵＳＤによって与えられるＳＡＩ情報のためのより詳細なグラニュラリティ（granularity）を与える。ＵＳＤおよびＳＩＢ１５中に含まれる情報は、現在のセルに隣接するエリア中で特定の周波数上で特定のサービスエリアによって何の（１つまたは複数の）サービスまたは（１つまたは複数の）ＴＭＧＩがサポートされるかを決定するために使用され得る。周波数へのＳＡＩｓのＳＩＢ１５マッピングは、セルグラニュラリティにおけるＳＡＩ利用可能性を示すには十分でない。たとえば、現在のサービングセルによってブロードキャストされるＳＩＢ１５は、特定のネイバー周波数上のネイバリングセルのすべてのＳＡＩ情報のユニオン（union）である、その周波数のためのＳＡＩ情報を含み得る。これは、ＵＥが、その周波数においてどの厳密なネイバリングセルが各ＳＡＩに関連付けられるかを知るには十分でない。したがって、特定の周波数においてネイバリングセルは、ＳＡＩが周波数上で利用可能であることをＳＩＢ１５情報が示したとしても、その周波数に関連付けられたＳＡＩを提供しないことがある。特定のＳＡＩによって搬送されるＴＭＧＩを受信するためにネイバー周波数に切り替わると、ＵＥは、その特定のＳＡＩのために構成されず、したがって、所望のＴＭＧＩを搬送しない、セルに到ることがある。
【００４５】
[0076]図８は、単純な２つのセルの例におけるＵＳＤおよびＳＩＢ中で与えられる情報の一例を示す図８００である。本例によれば、ＵＳＤ８１０が、ＭＢＭＳを介してＵＥ８２０に与えられ、ＴＭＧＩ１、ＴＭＧＩ２、およびＴＭＧＩ３を含む。ＵＳＤ８１０は、ユニキャストまたはブロードキャストを介して与えられ得る。ＴＭＧＩ１は、周波数１（Ｆ１）上のサービスエリア識別情報１（ＳＡＩ１）と周波数２（Ｆ２）上のサービスエリア識別情報２（ＳＡＩ２）の両方において利用可能である。ＴＭＧＩ２はＦ２上のＳＡＩ２において利用可能である。ＴＭＧＩ３はＦ１上のＳＡＩ１において利用可能である。マクロセルＡ８３０およびピコセルＢ８３０は、それぞれ周波数内Ｆ１および／または周波数間Ｆ２上で、ｅＭＢＭＳサービスを提供する。サービング周波数Ｆ１におけるマクロセルＡ８３０はＳＡＩ１に関連付けられる。マクロセルＡ８３０は、それの関連付けられたサービスエリア識別情報ＳＡＩ１をもつ周波数内Ｆ１と、それの関連付けられたサービスエリア識別情報ＳＡＩ２をもつネイバー周波数間Ｆ２とを示す、ＳＩＢ１５  ８３１をブロードキャストする。マクロセルＡ８３０のネイバー周波数間Ｆ２は、セルＡ８３０のネイバーであるピコセルＢ８４０のサービング周波数Ｆ２である。ピコセルＢは、サービング周波数Ｆ２をもつＳＡＩ２に関連付けられる。ピコセルＢ８４０は、ＳＡＩ２をもつ周波数内Ｆ２と、ＳＡＩ１をもつネイバー周波数間Ｆ１とを示すＳＩＢ１５  ８４１をブロードキャストする。図８の例では、ＵＥ８２０はセルＡ８３０のカバレージ内にある。したがって、ＵＥ８２０は、（Ｆ１：ＳＡＩ１；Ｆ２：ＳＡＩ２）を含むＳＩＢ１５  ８３１をセルＡから受信する。
【００４６】
[0077]ＳＩＢ１５は、現在のセルと現在のセルの周波数内ネイバーとに関連付けられたＳＡＩｓのリストと、現在のセルの周波数識別子とは異なる周波数間識別子のリストと、各周波数間識別子に関連付けられたＳＡＩｓの対応するリストとを含む。周波数内識別子および周波数間識別子は、周波数のＥＡＲＦＣＮ（ＥＵＴＲＡ絶対無線周波数チャネル：EUTRA Absolute Radio Frequency Channel）であり、その上でセルがブロードキャストしているキャリアの中心周波数を明確に識別する。したがって、ＳＩＢ１５は、ＳＩＢ１５（周波数内：ＳＡＩ１、ＳＡＩ２、．．．、周波数間１：ＳＡＩ１、ＳＡＩ２、．．．、周波数間２：ＳＡＩ１、ＳＡＩ２、．．．、周波数間ｎ：ＳＡＩ１、ＳＡＩ２、．．．）として表現され得る。図８中の例では、セルＡ  ＳＩＢ１５  ８３１は、周波数内Ｆ１およびＳＡＩリスト（Ｆ１：ＳＡＩ１）と、周波数間Ｆ２およびＳＡＩリスト（Ｆ２：ＳＡＩ２）とを含む。周波数のためのＳＡＩｓのリストは、その周波数がｅＭＢＭＳサービスを搬送しないとき、ヌルであり得ることに留意されたい。代替的に、周波数は、どのＳＡＩｓにも関連付けられていないとき、省略され得る。
【００４７】
[0078]ＵＥがキャンプオンされた現在のセルと現在のセルの１つまたは複数のネイバリングセルとが同じ周波数において送信する場合、周波数内ネイバーはあるが、周波数間ネイバーはないことがある。この場合、セルのＳＩＢ１５は周波数内ＳＡＩリストのみを含み得る。したがって、ＳＩＢ１５は、ＳＩＢ１５（周波数内ＳＡＩリスト）またはＳＩＢ１５（周波数内：ＳＡＩ１、ＳＡＩ２、．．．）として表現され得る。周波数内ＳＡＩリストは、ＵＥがキャンプオンされた現在のセルに関連付けられた１つまたは複数のＳＡＩｓならびに同じ周波数において（１つまたは複数の）ネイバリングセルに関連付けられた１つまたは複数のＳＡＩｓを含み得ることに留意されたい。たとえば、現在のセルとネイバリングセルとが周波数Ｆ１において送信し、現在のセルがＳＡＩ１に関連付けられ、ネイバリングセルがＳＡＩ２に関連付けられた場合、現在のセルのＳＩＢ１５はＳＩＢ１５（Ｆ１：ＳＡＩ１、ＳＡＩ２）として表現され得る。したがって、ＳＩＢ１５は、周波数内Ｆ１と、現在のセルに関連付けられたＳＡＩ１と、ネイバリングセルに関連付けられたＳＡＩ２とを有する周波数内ＳＡＩリストを含み得る。代替は、ＳＩＢ１５が、サービングセル上でブロードキャストされるＳＡＩｓのみを周波数内ＳＡＩリスト中に含めることである。
【００４８】
[0079]前述のように、ＳＩＢ１５情報は、その中にＵＥがある周囲エリアに、より局所化され、したがって、ＵＳＤによって与えられるグラニュラリティよりも多くのグラニュラリティをＳＡＩ情報に与え得る。しかしながら、ＳＩＢ１５情報はセルグラニュラリティにおいて存在しない。したがって、ＳＩＢ１５によって与えられる情報は、現在の３ＧＰＰ規格の下で指定されるように、周波数内ＳＡＩリストおよび／または周波数間ＳＡＩリスト中に含まれるＳＡＩが特定のネイバリングセルに関連付けられないという点で固有の粗さ（coarseness）を有する。以下で説明するようにシナリオＡ、ＢおよびＣの下で、この粗さからいくつかの問題が起こり得る。
【００４９】
[0080]シナリオＡ：ＳＡＩｓの異なるセットをサービスする周波数内ネイバリングセル：
【００５０】
[0081]図９は、異なる関連付けられたＳＡＩｓを有するセルグルーピングを含む周波数内セルの図９００である。第１のセルグループ９０２がセル１０７とセル１０１とを含み、その各々が、関連付けられたＳＡＩリスト：１２を有する。第２のセルグループ９０４がセル１２９とセル１３５とを含み、その各々が、関連付けられたＳＡＩリスト：１２、１５を有する。第３のセルグループ９０６がセル１６２とセル１５６とを含み、その各々が、関連付けられたＳＡＩリスト：１２、１８を有する。
【００５１】
[0082]例示的なシナリオでは、セル１０１にキャンプオンされたＵＥ９０８は、ネイバリングセルとしてセル１０７、１２９、１３５、１５６および１６２を検出する。現在、サービングセル（たとえば、セル１０１）のＳＩＢ１５は、そのサービングセル（たとえば、セル１０１）がメンバーであるＳＡＩｓと、周波数内ネイバリングセル（たとえば、セル１０７、１２９、１３５、１５６および１６２）の各々がメンバーであるＳＡＩｓとのユニオンである周波数内ＳＡＩ情報を含み得る。この例示的なシナリオでは、サービングセルのＳＩＢ１５は周波数内ＳＡＩリスト＝［１２，１５，１８］を含む。しかしながら、ＳＡＩｓの各々に関連付けられたネイバリングセルへのリスト中のＳＡＩｓの正確なマッピングはない。言い換えれば、ＳＩＢ１５は、ＳＡＩ１５がセル１２９およびセル１３５上で利用可能であることと、ＳＡＩ１８がセル１５６およびセル１６２上で利用可能であることとを示さない。したがって、行き当たりばったりの状態が起こり得、ここにおいて、ＵＥ９０８は、ＵＥが、ＳＡＩ１２にのみ関連付けられたセル１０１にキャンプオンされるとしても、ＳＩＢ１５中に含まれるリスト中の３つのＳＡＩｓのいずれかを選択するためのオプションをユーザに提示し得る。ＵＥが、ＳＡＩ１５またはＳＡＩ１８など、ＳＡＩ１２以外のＳＡＩに関連付けられたＴＭＧＩをアクティブ化することを試みる場合、ＵＥモデムはそのＴＭＧＩのためのサービスアクティブ化に失敗する。
【００５２】
[0083]ＵＥは、ＵＳＤ／ＳＩＢ１５方法ごとのサービス利用可能性をセル中で実際に利用可能なＴＭＧＩｓのリストと比較し得る。しかしながら、この方法は、デバイス実装形態に追加の複雑さを追加し、ａ）サービスが現在ブロードキャストされていない（将来のサービス）とき、またはカウンティング（counting）プロシージャに基づいてサービスがブロードキャストされていないとき（たとえば、カウンティングプロシージャに基づいてサービスをブロードキャストすることを正当化するのに十分なユーザがセル中にいないとき）、信頼できない。
【００５３】
[0084]シナリオＢ：異なるＳＡＩｓをサービスする周波数間ネイバリングセル（たとえば、局所ネットワーク中の複数のベニュー（venue）展開）：
【００５４】
[0085]図１０は、いくつかの周波数内および周波数間関係をもつマクロセル１００２およびマイクロセル１００４の図１０００である。セル１０１、セル１０７およびセル１０３は、第１の周波数（たとえば、ＥＵＴＲＡ絶対無線周波数チャネル番号（ｅａｒｆｃｎ：EUTRA absolute radio frequency channel number）５２３０）における周波数内ネイバリングセルである。セル１８１、セル１８５およびセル２２４は、第２の周波数（たとえば、ｅａｒｆｃｎ２１７５）における周波数内ネイバリングセルである。セル１９２は、第３の周波数（たとえば、ｅａｒｆｃｎ２３９９）における周波数間ネイバリングセルである。
【００５５】
[0086]例示的なシナリオでは、セル１０１にキャンプオンされたＵＥ１００６は、ネイバリングセルとしてセル１０７、１０３、１９２、１８５、１８１および２２４を検出し得る。セル１０１に関して、セル１９２、１８５、１８１および２２４は周波数間ネイバリングセルである。現在、サービングセル（たとえば、セル１０１）によって送信されるＳＩＢ１５は、サービングセルがそれに関連付けられたＳＡＩｓを含み、ｅａｒｆｃｎ５２３０における周波数内ネイバリングセルに関連付けられたＳＡＩｓを含み得る、周波数内ＳＡＩ情報を含む。ＳＩＢ１５は、各周波数間（ｅａｒｆｃｎ２１７５および２３９９）のための周波数間ＳＡＩ情報をも含む。各周波数間のためのＳＡＩリストは、特定の周波数間における各周波数間ネイバリングセルのＳＡＩｓのユニオンである。この例示的なシナリオでは、サービングセル（たとえば、セル１０１）のＳＩＢ１５は、セル１０１周波数間ｅａｒｆｃｎ２１７５に対応する周波数間ＳＡＩリスト＝［１２，１０５，１２９，１６８］と、セル１０１周波数間ｅａｒｆｃｎ２３９９に対応する周波数間ＳＡＩリスト＝［１２，６１７］とを示す。しかしながら、各ＳＡＩに属する対応するネイバリングセルへのリスト中のＳＡＩｓ間の正確なマッピングはない。言い換えれば、ＳＩＢ１５は、セル１８５、セル１９２およびセル２２４がＳＡＩ１２に関連付けることと、セル１８５がＳＡＩ１０５にも関連付けることと、セル２２４がＳＡＩ１２８にも関連付けることと、セル１８１がＳＡＩ１６８にのみ関連付けることとを示さない。
【００５６】
[0087]図１１は、ＳＩＢ１５中のＳＡＩ情報への（１つまたは複数の）ネイバリングセルの正確なマッピングの欠如の結果として、周波数Ｆ１におけるサービングセル１１０２と周波数Ｆ２におけるネイバリングセル１１０４との間で生じ得る行き当たりばったりの状態の図１１００である。この場合、セルは（１つまたは複数の）異なるＳＡＩに属し得る。最初に、段階１において、サービングセル１０１にキャンプオンされたＵＥは、周波数Ｆ２における周波数間ネイバリングセルとしてセル１８１およびセル１８５を検出し、したがって、セル１８１、１８５を示すネイバリングセルリスト（ＮＣＬ）を確立する。ＵＥは、周波数間Ｆ２がＳＡＩ１０５およびＳＡＩ１６８のＳＡＩリストを有することを示すＳＩＢ１５をサービングセル１から受信する。
【００５７】
[0088]次いで、段階２において、ＵＥは、ＳＡＩ１６８にのみ関連付けられたＴＭＧＩによって識別されるサービスをアクティブ化すると決定する。ＳＩＢ１５中のセルへのＳＡＩｓの正確なマッピングの欠如は、ＵＥが、セル１８１とセル１８５の両方がＳＡＩ１６８に関連付けられると仮定し得るので、ＵＥが関心のサービスを与えないセルに周波数を切り替えることをもたらし得る。したがって、段階３において、ＵＥは、基準信号受信電力（ＲＳＲＰ：reference signal received power）など、信号強度に基づくセル再選択を通して、選択されるサービスをアクティブ化することを試みる。この例では、セル１８１の信号強度はセル１８５の信号強度よりも大きい。したがって、ＵＥは、選択されたサービスを与えないセル１８１に対して再選択する。
【００５８】
[0089]シナリオＣ：（キャリアアグリゲーション（ＣＡ）がサポートされる場合の）複数の周波数にわたるコンカレント（concurrent）サービスベアラ：
【００５９】
[0090]図１２は、マルチバンドサービスの図１２００である。現在のマルチバンドシナリオ１２０２では、ｅＭＢＭＳは、セル再選択／ハンドオーバを介してマルチバンドサービスをサポートする。このシナリオでは、ＵＥは、第２のキャリア周波数（たとえば、バンドＢ）を用いたｅＭＢＭＳベアラアクティブ化を通して別のサービスをアクティブ化するために、第１のキャリア周波数（たとえば、バンドＡ）を用いてｅＭＢＭＳベアラを非アクティブ化することによってサービスを非アクティブ化する。現在の規格は、２つの異なる周波数上での２つのｅＭＢＭＳベアラのコンカレントアクティブ化を与えない。キャリアアグリゲーションシナリオ１２０４では、ＵＥは、バンドＡ、バンドＢおよびバンドＣのうちの少なくとも１つ上で与えられたサービスをアクティブ化し得る。一例として、複数のビューサービス、たとえば、コンカレントリアルタイムＤＡＳＨストリーミングサービスをサポートするために、ｅＭＢＭＳアプリケーションは、キャリアアグリゲーションがサポートされる場合、コンカレントに２つの異なる周波数からの２つのＴＭＧＩｓを可能にし得る。この場合も、ＳＡＩｓとセルとの間の正確なマッピングの欠如は、ＵＥが、ｅＭＢＭＳがキャリアアグリゲーションを用いて展開されるとき、正確なサービスアクティブ化を達成することができないことをもたらし得る。
【００６０】
[0091]以下に開示されるのは、上記の問題に対処する様々な代替である。これらの代替は、関心のＳＡＩを搬送するネイバーエリア中の特定のセルの識別を可能にする情報を与えることによって、セルレベルにおいてグラニュラリティを与える。そのようなグラニュラリティは、ＳＩＢ１５ならびにＳＩＢ４およびＳＩＢ５のうちの１つまたは複数など、既存のシステム情報メッセージを介したネイバリングセルへのＳＡＩｓのマッピングを通して与えられ得る。
【００６１】
[0092]代替Ａ１：ｅＭＢＭＳネイバリングセルのＳＡＩ情報を導出するためのビットマッピング機構：
【００６２】
[0093]第１の態様では、ビットマッピング機構が、ネイバリングセルにＳＡＩ情報をマッピングするために使用され得る。ビットマッピング機構では、周波数内物理セル識別子（ＰＣＩ）パラメータ、および周波数間ＰＣＩパラメータの一方または両方が、ＳＩＢ１５に追加され得る。周波数内パラメータは、１つまたは複数の周波数内ＰＣＩｓを含み得る。同様に、周波数間パラメータは、１つまたは複数の周波数間ＰＣＩｓを含み得る。多数の例を通して以下でさらに説明されるように、ｍｂｍｓ−ＳＡＩ−ＩｎｔｒａＦｒｅｑ−ｒ１１情報および／またはｍｂｍｓ−ＳＡＩ−ＩｎｔｅｒＦｒｅｑ−ｒ１１情報はＳＩＢ１５中に存在し、関心のＰＣＩｓの追加のセットは、周波数内ＰＣＩパラメータおよび周波数間ＰＣＩパラメータの一方または両方を通して各キャリア周波数に関して追加され得る。関心のＰＣＩｓのこれらのセットは、ｅＭＢＭＳセルとＳＡＩｓとをサポートするネイバリングセルを識別する。これらのパラメータは、周波数間および／または周波数間ネイバリングセル情報をマッピングするか、またはそれらの関連付けられたＳＡＩｓと相関させるための機構を与える。このコンテキストにおける「関連付けられた」は、特定のセルによってサポートまたはサービスされるＳＡＩｓを意味する。機構は、後方互換性サポートを用いてＳＩＢ１５メッセージ上のオーバーヘッドを最小限に抑え得る。機構は、導出され、ＳＡＩリスト中に含まれる「置換された」ＳＡＩインデックスの概念を導入する。置換されたＳＡＩは、他のセル情報と組み合わせて、ＳＡＩに関連付けられた１つまたは複数のネイバリングセルへのＳＡＩのマッピングを可能にする情報を含む。
【００６３】
[0094]図１３は、追加の周波数内および周波数間ＰＣＩリストパラメータをもつ例示的なＳＩＢ１５  １３００である。追加のＰＣＩリストパラメータは、周波数内ネイバリングセルにＳＡＩｓをマッピングする目的でのｍｂｍｓ−Ｎｅｉｇｈｂｏｒｉｎｇ−ＰＣＩ−Ｌｉｓｔ−ＩｎｔｒａＦｒｅｑ−ｒ１２パラメータ１３０２と、１つまたは複数のそれぞれの周波数間ネイバリングセルにＳＡＩｓをマッピングするための１つまたは複数のｍｂｍｓ−Ｎｅｉｇｈｂｏｒｉｎｇ−ＰＣＩ−Ｌｉｓｔ−ＩｎｔｅｒＦｒｅｑ−ｒ１２パラメータ１３０４、１３０６とを含む。各ＰＣＩリストパラメータ１３０２、１３０４、１３０６は、それぞれのＳＡＩリストパラメータ１３０８、１３１０、１３１２に関連付けられ、それらは順に、それぞれのキャリア周波数１３１４、１３１６に関連付けられる。
【００６４】
[0095]図１３の例示的なＳＩＢ１５では、ｍｂｍｓ−Ｎｅｉｇｈｂｏｒｉｎｇ−ＰＣＩ−Ｌｉｓｔ−ＩｎｔｅｒＦｒｅｑ−ｒ１２｛［ｙ１，ｙ２］｝パラメータ１３０４は、周波数間ｅａｒｆｃｎ２１７５のためのＰＣＩｓを識別し、ｍｂｍｓ−Ｎｅｉｇｈｂｏｒｉｎｇ−ＰＣＩ−Ｌｉｓｔ−ＩｎｔｅｒＦｒｅｑ−ｒ１２｛［ｚ１，ｚ２］｝パラメータ１３０６は、周波数間ｅａｒｆｃｎ２３９９のためのＰＣＩｓを識別する。ＳＩＢ１５  １３００中のＰＣＩリストパラメータ１３０２、１３０４、１３０６の存在は、置換されたＳＡＩ（たとえば、ｔ＿ＳＡＩ＿ｘ、ｔ＿ＳＡＩ＿ｙ）が導出され、ＰＣＩリストに関連付けられたＳＡＩリスト１３０８、１３１０、１３１２に追加され得ることを暗に示す。
【００６５】
[0096]図１４は、サービングセル１４０２およびいくつかの周波数内ネイバリングセル１４０４、ならびにサービングセルのための対応するＳＩＢ１５  １４０６の図１４００である。第１の代替によれば、ネイバリングＰＣＩリスト１４１０（たとえば、ｍｂｍｓ−Ｎｅｉｇｈｂｏｒｉｎｇ−ＰＣＩ−Ｌｉｓｔ−ＩｎｔｒａＦｒｅｑ−ｒ１２）が、ＳＩＢ１５中に存在し、ネイバリングセルのリスト（たとえば、Ｎｇｂ＿ＰＣＩ＿Ｌｉｓｔ）１４１２でポピュレートされる（populated）。ＳＡＩインデックス１４０８は、ＳＡＩを識別する一般的なＳＡＩインデックス領域１４１８を含む。図１４のＳＡＩインデックス１４０８では、一般的なＳＡＩインデックスは、１０進値に変換されるときに特定のＳＡＩを識別する１２ビット値に対応する。たとえば、一般的なＳＡＩインデックス１４１８は、０００００００００１０１である。この１２ビット値が１０進値５に変換し、それによりＳＡＩ５を識別する。１６ビットＳＡＩインデックス１４０８の数個の最上位ビット（ＭＳＢ）が、ネイバリングセル位置インデックス（ＣＰＩ：cell position index）１４１４として予約される。ネイバリングＣＰＩインデックス１４１４は、一般的なＳＡＩインデックス１４１８によって識別されるＳＡＩをＮｇｂ＿ＰＣＩ＿Ｌｉｓｔ１４１２中のＰＣＩ情報と相関させる。Ｎｇｂ＿ＰＣＩ＿Ｌｉｓｔ１４１２にリストされているネイバリングセルは、ネイバリングＣＰＩインデックス１４１４中のビットにマッピングされる。これらのビットは、マッピングされたセル中での一般的なＳＡＩインデックス１４１８によって識別されるＳＡＩの利用可能性に関する情報を与える。一実装形態では、Ｎｇｂ＿ＰＣＩ＿Ｌｉｓｔ１４１２にリストされているネイバリングセルは、セルがリストされている順序に基づいて、ネイバリングＣＰＩインデックス１４１４のビットにマッピングされる。このマッピングの例は、図１５および図１６に関して、以下で与えられる。
【００６６】
[0097]ネイバリングセルリスト１４１４のためにＳＡＩインデックス１４０８中で予約されるＭＳＢビットの数は、ネイバリングセルの数＋１であり得る。図１４の例では、サービングセルであるセル１は、３つのネイバリングセル：セル１０５、セル１０３およびセル２２４を有する。したがって、サービングセルであるセル１のためのネイバリングＰＣＩリスト１４１０は、Ｎｇｂ＿ＰＣＩ＿Ｌｉｓｔ＝［２２４，１０５，１０３］である。リスト中に３つのネイバリングセルがあるので、ＰＣＩ対ＳＡＩのマッピングのために予約される４つのＭＳＢビットがある。３つのネイバリングセルの各々はビットのうちの１つに関連付けられ、ビットの値は、関連付けられたセルが特定のＳＡＩをサポートするかどうかを示す。第４のビットは、特定のＳＡＩがサービングセルの周波数内ＳＡＩリストによってサポートされるか否かを示す自己関連付けビットである。自己関連付けビットが特定のＳＡＩのために「０」に設定された場合、ＳＡＩはサービングセルに関連付けられる。自己関連付けビットが「１」に設定された場合、特定のＳＡＩはサービングセルによって関連付け／サポートされない。すべてのビットが「０」であるネイバリングＣＰＩインデックス１４１４は、周波数内ＳＡＩリスト１４１６中のすべてのＳＡＩｓがネイバリングセルによってサポートされることを暗に示す。言い換えれば、置換されたＳＡＩは、ＵＳＤにリストされている一般的なＳＡＩになる。これは、本明細書で開示されるビットマッピング機構をサポートしないことがあるネットワークに後方互換性を与える。
【００６７】
[0098]上記で説明され、さらに以下で説明されるビット値に関して、一般的な概念は、ＳＡＩをＰＣＩと相関させるためにビットマッピングを使用することである。したがって、この方式は、本明細書で与えられる例に限定されない。たとえば、ビット「０」はＳＡＩとサービングセルとの間の関連付けを示すために使用され得、ビット「１」はそのような関連付けの不在を示すために使用され、ビット「０」およびビット「１」のそれぞれの意味は反対にされ得る。さらに、ＴまたはＦ設定をもつフラグが、そのような情報を伝達するために使用され得る。
【００６８】
[0099]図１５は、サービングセル１５０２およびいくつかの周波数内ネイバリングセル１５０４、サービングセルのための対応するＳＩＢ１５  １５０６、置換されたＳＡＩ５インデックス１５０８、ならびに置換されたＳＡＩ２９インデックス１５１０の図１５００である。セル１は、ＳＡＩ１およびＳＡＩ２をサポートする。セル１０３は、ＳＡＩ１およびＳＡＩ２をサポートする。セル２２４は、ＳＡＩ１、ＳＡＩ２およびＳＡＩ５をサポートする。セル１０５は、ＳＡＩ１、ＳＡＩ２、ＳＡＩ５およびＳＡＩ２９をサポートする。この例では、ＵＥはセル１にキャンプオンされ、ＵＥがセル１から受信するＳＩＢ１５  １５０６は、ネイバリング周波数内セルリスト１５１２、Ｎｇｂ＿ＰＣＩ＿Ｌｉｓｔ＝［２２４，１０５，１０３］を含む。
【００６９】
[00100]ネイバリングセルへのＳＡＩ５のマッピングをＵＥに伝達するために、ＳＡＩ５インデックス１５０８は、ＳＡＩ５のための一般的なＳＡＩインデックスと、３ビットによって定義されるネイバリングＣＰＩインデックス１５１４と、自己関連付けビット１５１６とを含む置換されたＳＡＩとしてフォーマットされ得る。ネイバリングＣＰＩインデックス１５１４の３ビットの各々は、Ｎｇｂ＿ＰＣＩ＿Ｌｉｓｔにリストされているネイバリングセルの各々に対応する。ビットの値（たとえば、０または１）は、ビットに関連付けられたネイバリングセルが特定のＳＡＩをサポートするかどうかに関するインジケーションとして働く。この例では、セル１０３はＳＡＩ５をサポートしないので、セル１０３に関連付けられたビット値は「１」であり、セル１０５はＳＡＩ５をサポートするので、セル１０５に関連付けられたビット値は「０」であり、セル２２４はＳＡＩ５をサポートするので、セル２２４に関連付けられたビット値は「０」である。サービングセルであるセル１はＳＡＩ５をサポートしないので、自己関連付けビット１５１６は「１」である。１６ビットＳＡＩ５インデックス１５０８は、１０進値（３６８６９）または１６進値に変換され得、その形態でＳＩＢ１５の周波数内ＳＡＩリスト１５１８中に含まれ得る。
【００７０】
[00101]ネイバリングセルへのＳＡＩ２９のマッピングをＵＥに伝達するために、ＳＡＩ２９インデックス１５１０は、ＳＡＩ２９のための一般的なＳＡＩインデックスと、３ビットによって定義されるネイバリングＣＰＩインデックス１５２０と、自己関連付けビット１５２２とを含む置換されたＳＡＩとしてフォーマットされる。ネイバリングＣＰＩインデックス１５２０の３ビットの各々は、Ｎｇｂ＿ＰＣＩ＿Ｌｉｓｔにリストされているネイバリングセルの各々に対応する。ビットの値（たとえば、０または１）は、ビットに関連付けられたネイバリングセルが特定のＳＡＩをサポートするかどうかに関するインジケーションとして働く。この例では、セル１０３はＳＡＩ２９をサポートしないので、セル１０３に関連付けられたビット値は「１」であり、セル１０５はＳＡＩ２９をサポートするので、セル１０５に関連付けられたビット値は「０」であり、セル１０５はＳＡＩ２９をサポートしないセル２２４に関連付けられたビット値は「１」である。サービングセルであるセル１はＳＡＩ２９をサポートしないので、自己関連付けビット１５１６は「１」である。１６ビットＳＡＩ２９インデックス１５１０は、１０進値（５３２７７）または１６進値（０ｘＤ０１Ｄ）に変換され得、その形態でＳＩＢ１５のＳＡＩリスト中に含まれ得る。
【００７１】
[00102]ＳＩＢ１５  １５０６は、周波数内ＳＡＩリスト１５１８、たとえば、ＳＡＩ＿Ｌｉｓｔ＝｛１，２，３６８６９，５３２７７｝を含む。「１」および「２」は、ＳＡＩ１およびＳＡＩ２が、サービングセル：セル１と、ネイバリングセル：セル１０５、セル１０３およびセル２２４との両方上で利用可能であることを示す。周波数内ＳＡＩリスト１５１８中の「３６８６９」（たとえば、置換されたＳＡＩ、ｔＳＡＩ＿５）は、１つまたは複数のネイバリングセル上で利用可能であるＳＡＩの存在を示す。周波数内ＳＡＩリスト１５１８中の「５３２７７」（たとえば、置換されたＳＡＩ、ｔＳＡＩ＿２９）は、１つまたは複数のネイバリングセル上で利用可能である別のＳＡＩの存在を示す。
【００７２】
[00103]ＵＥ側で、ＳＩＢ１５の受信時に、ＵＥは、ネイバリング周波数内セルリスト１５１２および周波数内ＳＡＩリスト１５１８中に含まれる情報に基づいて、ネイバリングセルへのＳＡＩのマッピングを導出し得る。周波数内ＳＡＩリスト１５１８中の情報のフォーマットに基づいて、ＵＥは、リスト上のエントリが、置換されたＳＡＩに対応するかどうかを決定する。たとえば、ＳＡＩ＿Ｌｉｓｔ＝｛１，２，３６８６９，５３２７７｝を仮定すれば、ＵＥは、１が、サービングセルであるセル１と、すべてのネイバリングセルであるセル１０５、セル１０３およびセル２２４とによってＳＡＩ１がサポートされることを示し、２が、サービングセルであるセル１と、すべてのネイバリングセルであるセル１０５、セル１０３およびセル２２４とによってＳＡＩ２がサポートされることを示すと決定する。ＵＥは、ＳＩＢ１５中の有効なｍｂｍｓ−Ｎｅｉｇｈｂｏｒｉｎｇ−ＰＣＩ−Ｌｉｓｔ−ＩｎｔｒａＦｒｅｑ−ｒ１２パラメータの存在に基づいて、３６８６９および５３２７７の各々が、置換されたＳＡＩを示すと決定する。したがって、ＵＥは、１０進値の各々を１６ビット値に変換し、ＳＡＩとＳＡＩにマッピングされたネイバリングセルとを導出する。３６８６９の置換されたＳＡＩ値の場合、ＵＥは、３６８６９を１６ビット値１００１０００００００００１０１に変換し、ビット１〜１２、たとえば、一般的なＳＡＩインデックスに基づいて、ＳＡＩがＳＡＩ５であると決定する。ＵＥは、一般的なＳＡＩインデックス０００００００００１０１を、この場合５である１０進値に変換することによって、ＳＡＩがＳＡＩ５であると決定する。ＵＥは、ビット１３〜１６と、Ｎｇｂ＿ＰＣＩ＿Ｌｉｓｔ＝［２２４，１０５，１０３］中で識別されるセルの順序とに基づいて、セル１０３がＳＡＩ５をサポートせず、セル１０５およびセル２２４がＳＡＩ５をサポートし、サービングセルであるセル１がＳＡＩ５をサポートしないとさらに決定する。自己関連付けビット１５１６から、ＵＥは、ＳＡＩ５がサービングセル：セル１によってサポートされるかどうかを決定する。この場合、自己関連付けビット１５１６値「１」は、ＳＡＩ５がサービングセルによってサポートされないことを示す。
【００７３】
[00104]５３２７７の置換されたＳＡＩ値の場合、ＵＥは、５３２７７を１６ビット値１１０１０００００００１１１０１に変換し、ビット１〜１２、たとえば、一般的なＳＡＩインデックスに基づいて、ＳＡＩがＳＡＩ２９であると決定する。ＵＥは、一般的なＳＡＩインデックス０００００００１１１０１を、この場合２９である１０進値に変換することによって、ＳＡＩがＳＡＩ２９であると決定する。ＵＥは、ビット１３〜１６と、Ｎｇｂ＿ＰＣＩ＿Ｌｉｓｔ＝［２２４，１０５，１０３］中で識別されるセルの順序とに基づいて、ネイバリングセル：セル１０３およびセル２２４がＳＡＩ２９をサポートせず、ネイバリングセル：セル１０５がＳＡＩ２９をサポートし、サービングセル：セル１がＳＡＩ２９をサポートしないとさらに決定する。後者は自己関連付けビット１５１６に基づいて決定され、ここにおいて、値「１」はＳＡＩ２９がサービングセルによってサポートされないことを示す。
【００７４】
[00105]図１６は、サービングセル１６０２およびいくつかの周波数内ネイバリングセル１６０４、サービングセルのための対応するＳＩＢ１５  １６０６、置換されたＳＡＩ５インデックス１６０８、ならびに置換されたＳＡＩ２９インデックス１６１０の図１６００である。セル１は、ＳＡＩ１およびＳＡＩ２をサポートする。セル１０７は、ＳＡＩ１およびＳＡＩ２をサポートする。セル２２４は、ＳＡＩ１、ＳＡＩ２およびＳＡＩ５をサポートする。セル１０５は、ＳＡＩ１、ＳＡＩ２、ＳＡＩ５およびＳＡＩ２９をサポートする。この例では、ＵＥはセル２２４にキャンプオンされ、ＵＥがセル２２４から受信するＳＩＢ１５  １６０６は、ネイバリング周波数内セルリスト１６１２、Ｎｇｂ＿ＰＣＩ＿Ｌｉｓｔ＝［１０７，１，１０５］を含む。
【００７５】
[00106]ネイバリングセルへのＳＡＩ５のマッピングをＵＥに伝達するために、ＳＡＩ５インデックス１６０８は、ＳＡＩ５のための一般的なＳＡＩインデックスと、３ビットによって定義されるネイバリングＣＰＩインデックス１６１４と、自己関連付けビット１６１６とを含む置換されたＳＡＩとしてフォーマットされ得る。ネイバリングＣＰＩインデックス１６１４の３ビットの各々は、Ｎｇｂ＿ＰＣＩ＿Ｌｉｓｔにリストされているネイバリングセルの各々に対応する。ビットの値（たとえば、０または１）は、ビットに関連付けられたネイバリングセルが特定のＳＡＩをサポートするかどうかに関するインジケーションとして働く。この例では、セル１０５はＳＡＩ５をサポートするので、セル１０５に関連付けられたビット値は「０」であり、セル１はＳＡＩ５をサポートしないので、セル１に関連付けられたビット値は「１」であり、セル１０７はＳＡＩ５をサポートしないので、セル１０７に関連付けられたビット値は「１」である。サービングセルであるセル２２４はＳＡＩ５をサポートするので、自己関連付けビット１６１６は「１」である。１６ビットＳＡＩ５インデックス１６０８は、１０進値（２４５８１）または１６進値（０ｘ６００５）に変換され得、その形態でＳＩＢ１５の周波数内ＳＡＩリスト１６１８中に含まれ得る。
【００７６】
[00107]ネイバリングセルへのＳＡＩ２９のマッピングをＵＥに伝達するために、ＳＡＩ２９インデックス１６１０は、ＳＡＩ２９のための一般的なＳＡＩインデックスと、３ビットによって定義されるネイバリングＣＰＩインデックス１６２０と、自己関連付けビット１６２２とを含む置換されたＳＡＩとしてフォーマットされ得る。ネイバリングＣＰＩインデックス１６２０の３ビットの各々は、ネイバリング周波数内セルリスト１６１２にリストされているネイバリングセルの各々に対応する。ビットの値（たとえば、０または１）は、ビットに関連付けられたネイバリングセルが特定のＳＡＩをサポートするかどうかに関するインジケーションとして働く。この例では、セル１０５はＳＡＩ２９をサポートするので、セル１０５に関連付けられたビット値は「０」であり、セル１はＳＡＩ２９をサポートするので、セル１に関連付けられたビット値は「０」であり、セル１０７はＳＡＩ２９をサポートしないセル１０７に関連付けられたビット値は「１」である。サービングセルであるセル２２４はＳＡＩ２９をサポートしないので、自己関連付けビット１６１６は「１」である。１６ビットＳＡＩ２９インデックス１６１０は、１０進値（５７３７３）または１６進値（０ｘＥ０１Ｄ）に変換され得、その形態でＳＩＢ１５のＳＡＩリスト中に含まれ得る。
【００７７】
[00108]ＳＩＢ１５  １６０６は、周波数内ＳＡＩリスト１６１８、たとえば、ＳＡＩ＿Ｌｉｓｔ＝｛１，２，２４５８１，５７３７３｝を含む。「１」および「２」は、ＳＡＩ１およびＳＡＩ２が、サービングセル：セル２２４と、ネイバリングセル：セル１、セル１０５およびセル１０７のうちの１つまたは複数との上でブロードキャストしていることを示す。周波数内ＳＡＩリスト１６１８中の「２４５８１」（たとえば、ｔＳＡＩ＿５）は、１つまたは複数のネイバリングセル上で利用可能であり得るＳＡＩの存在を示す。周波数内ＳＡＩリスト１６１８中の「５７３７３」（たとえば、ｔＳＡＩ＿２９）は、１つまたは複数のネイバリングセル上で利用可能であり得る別のＳＡＩの存在をも示す。
【００７８】
[00109]ＵＥ側で、ＳＩＢ１５の受信時に、ＵＥは、ネイバリング周波数内セルリスト１６１２および周波数内ＳＡＩリスト１６１８中に含まれる情報に基づいて、ネイバリングセルへのＳＡＩのマッピングを導出する。周波数内ＳＡＩリスト１６１８中の情報のフォーマットに基づいて、ＵＥは、リスト上のエントリが、置換されたＳＡＩに対応するかどうかを決定する。たとえば、ＳＡＩ＿Ｌｉｓｔ＝｛１，２，５，２４５８１，５７３７３｝を仮定すれば、ＵＥは、１が、サービングセルであるセル２２４と、すべてのネイバリングセルであるセル１、セル１０５およびセル１０７とによってＳＡＩ１がサポートされることを示し、２が、サービングセルであるセル２２４と、すべてのネイバリングセルであるセル１、セル１０５およびセル１０７とによってＳＡＩ２がサポートされることを示すと決定する。ＵＥは、ＳＩＢ１５中の有効なｍｂｍｓ−Ｎｅｉｇｈｂｏｒｉｎｇ−ＰＣＩ−Ｌｉｓｔ−ＩｎｔｒａＦｒｅｑ−ｒ１２パラメータの存在に基づいて、２４５８１および５７３７３の各々が、置換されたＳＡＩを示すと決定する。したがって、ＵＥは、１０進値の各々を１６ビット値に変換し、ＳＡＩとＳＡＩにマッピングされたネイバリングセルとを導出する。置換されたＳＡＩ値２４５８１の場合、ＵＥは、ビット１〜１２、たとえば、一般的なＳＡＩインデックスに基づいて、ＳＡＩがＳＡＩ５であると決定する。ＵＥは、ビット１３〜１６と、Ｎｇｂ＿ＰＣＩ＿Ｌｉｓｔ＝［１０７，１，１０５］中で識別されるセルの順序とに基づいて、セル１０５がＳＡＩ５をサポートし、セル１およびセル１０７がＳＡＩ５をサポートせず、サービングセルであるセル２２４がＳＡＩ５をサポートするとさらに決定する。後者は自己関連付けビット１６１６に基づいて決定され、ここにおいて、値「０」はＳＡＩ５がセル２２４によってサポートされることを示す。
【００７９】
[00110]置換されたＳＡＩ値５７３７３の場合、ＵＥは、ビット１〜１２、たとえば、一般的なＳＡＩインデックスに基づいて、ＳＡＩがＳＡＩ２９であると決定する。ＵＥは、ビット１３〜１６と、Ｎｇｂ＿ＰＣＩ＿Ｌｉｓｔ＝［１０７，１，１０５］中で識別されるセルの順序とに基づいて、ネイバリングセル：セル１０５がＳＡＩ２９をサポートし、ネイバリングセル：セル１およびセル１０７がＳＡＩ２９をサポートせず、サービングセル：セル２２４がＳＡＩ２９をサポートしないとさらに決定する。後者は自己関連付けビット１６２２に基づいて決定され、ここにおいて、値「１」はＳＡＩ２９がサービングセルによってサポートされないことを示す。
【００８０】
[00111]図１５および図１６の例は、周波数内パラメータ（たとえば、ｍｂｍｓ−ＳＡＩ−ＩｎｔｒａＦｒｅｑ−ｒ１１）によるＳＩＢ１５への周波数内ＳＡＩｓの追加に関する。これらの図および周波数内パラメータに関して説明された同じ概念が、周波数間パラメータによる周波数間ＳＡＩｓの追加に適用される。図３５は、サービングセル３５０２およびいくつかの周波数間ネイバリングセル３５０４、サービングセルのための対応するＳＩＢ１５  ３５０６、置換されたＳＡＩ１６８インデックス３５０８、置換されたＳＡＩ１０５インデックス３５１０、置換されたＳＡＩ１２インデックス３５１２、ならびに置換されたＳＡＩ１２８インデックス３５１４の図３５００である。ビットマッピングは、ＳＡＩ１６８インデックスおよびＳＡＩ１０５インデックスのためにのみ示される。ＵＥへのＳＡＩマッピング情報の伝達およびそのようなマッピング情報のＵＥによる導出は、図１５および図１６を参照しながら上記で説明されたのと同じであり、本明細書では繰り返されない。
【００８１】
[00112]図１７は、拡張ＳＡＩインデックスの図１７００である。第１の代替の上記で説明された実装形態は、図１５および図１６に関して説明されたように、ＳＡＩインデックスのために１６ビットを使用する既存の規格に基づく。しかしながら、ネイバリングセルの数に応じて、ネイバリングセルインデックスのビットサイズは増加または減少し得る。ビットサイズが増加するにつれて、一般的なＳＡＩインデックス１７０６のために利用可能なビット数は減少する。図１７は、１６進フォーマットにおいてコーディングされるためのオプションを用いて、ＳＡＩインデックスのためのビット数を１６ビットから３２ビットに拡張するビットフォーマットを提示する。１６進ビットフォーマットは、１６進ビットフォーマットが増加した数のネイバリングセルのマッピングを可能にするという点で、１６ビットフォーマットにわたって改善されたフレキシビリティを与える。注：３ＧＰＰ、ＴＳ１３６．３３＿ｖ１１によれば、ＳＩＢ４にリストされているネイバリングセルの最大数は１６であり、これは、ＳＩＢ５中のネイバリング周波数間セルの最大数（たとえば、周波数当たり１６）と同じである。しかしながら、１６進ビットフォーマットは、ｅＭＢＭＳサポートをもつ１１個以上のネイバリングセルを一度に有するための現実的な展開シナリオでないことがある。ＳＡＩビットを３２ビットに拡張する場合、一般的なＳＡＩ＝２９はＳＡＩ＝０ｘ１Ｄとして提示され得る。
【００８２】
[00113]図１８は、ｅＭＢＭＳ関心インジケータメッセージと呼ばれる、追加のパラメータ１８０２、ｍｂｍｓ−ｐｃｉ＿ｃａｉ＿ｉｎｔｅｒｅｓｔを含むｅＭＢＭＳ関心インジケータメッセージ１８００の図である。ｅＭＢＭＳ関心インジケータメッセージ１８０２は、ＲＲＣコネクトモード中に使用され得、ハンドオーバに関係する。上記のＳＡＩ対ネイバリングセルのマッピングの結果として、ＵＥは、ネイバリングセルによってサポートされるＳＡＩｓに関するより多くの情報を取得する。ＵＥは、ｅＭＢＭＳ適用の観点から、ＵＥがそれにハンドオーバすることを望む特定のセルについてネットワークに通知し得る。この目的で、ｅＭＢＭＳ関心インジケータメッセージ１８０２は、２つの値：特定の物理セルを識別するための物理セルＩＤ（ＰＣＩ）インデックス１８０４（たとえば、３９１）、ならびにマルチバンドおよびキャリアアグリゲーション展開の下で新しいｅＭＢＭＳサービスアクティブ化を支援するためのキャリアアグリゲーションインジケータ１８０６（たとえば、ＣＡＩ）を与える。
【００８３】
[00114]代替Ａ２：ＳＩＢ１５とＳＩＢ４／ＳＩＢ５との間の相関ビットマッピング
【００８４】
[00115]第２の代替では、ビットマッピング機構が、ＳＩＢ４／ＳＩＢ５の相関を用いてネイバリングセルにＳＡＩ情報をマッピングするために使用され得る。この代替の下で、セル位置インデックス（ＣＰＩ）、またはセル位置関連付け（ＣＰＡ）、パラメータがＳＩＢ１５に追加される。
【００８５】
[00116]図１９は、周波数間パラメータ１９０２のためのｍｂｍｓセル位置関連付け（ＣＰＡ）をもつ例示的なＳＩＢ１５  １９００である。パラメータは、８ビット１６進値、（ｘｘｘｘ  ｙｙｙｙ）における０ｘＡ３であり得、ここで、
ｘｘｘｘ：ＳＡＩマッピングのカテゴリー
ｙｙｙｙ：ＳＡＩ中の予約済みＭＳＢビットの数
ＳＡＩマッピングのカテゴリー：
０：一般的な１６ビットＳＡＩ
Ａ：３２ビットＳＡＩが使用される（追加の１６ビット拡張が使用される）
Ｂ：２４ビットＳＡＩが使用される（追加の８ビット拡張が使用される）
【００８６】
[00117]図２０は、たとえば、図１９のＳＩＢ１５によって与えられた異なるＣＰＡパラメータに対応する、１６ビットＣＰＡパラメータ２００２のフォーマットおよび３２ビットＣＰＡパラメータ２００４のフォーマットの図２０００である。１６ビットＣＰＡパラメータ２００２の場合、ＣＰＡ＝０ｘ０４は、一般的な１６ビットＳＡＩ値の４つのＭＳＢがＳＩＢ４／ＳＩＢ５とのセルマッピングのために予約されることを示す。第１のＭＳＢビットがサービングセルインジケーションのために使用され、３ビットの残部はＳＩＢ４／ＳＩＢ５ネイバリングセルに相関される。３２ビットＣＰＡパラメータ２００４の場合、ＣＰＡ＝０ｘＡ４は、拡張ビット２００６の４つのＭＳＢがＳＩＢ４／ＳＩＢ５とのセルマッピングのために予約されることを示す。この場合、ビットマッピングのために予約され得るＭＳＢビットの最大数は、（一般的なＳＡＩサイズのように）１６である。２４ビットＣＰＡパラメータ２００４の別の場合、ＣＰＡ＝０ｘＢ４（図示せず）は、４つのＭＳＢが８ビットの一般的なＳＡＩ値に加えて拡張ビットからＳＩＢ４／ＳＩＢ５とのセルマッピングのために予約されることを示す。この場合、ビットマッピングのために予約され得るＭＳＢビットの最大数は、８である。
【００８７】
[00118]図２１は、サービングセル２１０２およびいくつかの周波数内ネイバリングセル２１０４、サービングセルのための対応するＳＩＢ１５  ２１０６、サービングセルのための対応するＳＩＢ４  ２１０８、置換されたＳＡＩ５インデックス２１１０、ならびに置換されたＳＡＩ２９インデックス２１１２の図２１００である。セル１は、ＳＡＩ１およびＳＡＩ２をサポートする。セル１０３は、ＳＡＩ１およびＳＡＩ２をサポートする。セル２２４は、ＳＡＩ１、ＳＡＩ２およびＳＡＩ５をサポートする。セル１０５は、ＳＡＩ１、ＳＡＩ２、ＳＡＩ５およびＳＡＩ２９をサポートする。この例では、ＵＥはセル１にキャンプオンされ、ＵＥがセル１から受信するＳＩＢ１５  ２１０６は、ＣＰＡパラメータ２１２０（たとえば、ｍｂｍｓ−ＣＰＡ−ＩｎｔｒａＦｒｅｑ−ｒ１２＝０ｘ０４）を含む。ＣＰＡパラメータ２１２０は、ＳＡＩｓをネイバリングセルにマッピングするために使用され得る情報の存在を示す。ＣＰＡパラメータ＝０ｘ０４は、１６ビットＳＡＩフォーマットが（現在の規格に基づいて）使用され、３ビットまでが、特定のＳＡＩをサポートするセルのリストにネイバリングセルにマッピングされ得ることを示し、「４」は、ネイバリングセル（３）＋リストに追加され得るサービングセルの数を示す。
【００８８】
[00119]ネイバリングセルへのＳＡＩ５のマッピングをＵＥに伝達するために、ＳＡＩ５インデックス２１１０は、ＳＡＩ５のための一般的なＳＡＩインデックスと、３ビットによって定義されるネイバリングＣＰＩインデックス２１１４とを含む置換されたＳＡＩとしてフォーマットされ得る。ネイバリングＣＰＩインデックス２１１４の３ビットの各々は、ＳＩＢ４  ２１０８にリストされているネイバリングセルの各々に対応する。ビットの値（たとえば、０または１）は、ビットに関連付けられたネイバリングセルが特定のＳＡＩをサポートするかどうかに関するインジケーションとして働く。この例では、セル２２４はＳＡＩ５をサポートするので、セル２２４に関連付けられたビット値は「０」であり、セル１０５はＳＡＩ５をサポートするので、セル１０５に関連付けられたビット値は「０」であり、セル１０３はＳＡＩ５をサポートしないので、セル１０３に関連付けられたビット値は「１」である。サービングセル、セル１はＳＡＩ５をサポートしないので、サービングセルの第１のビットは「１」に設定される。１６ビットＳＡＩ５インデックス２１１０は、１０進値（３６８６９）または１６進値に変換され、その形態でＳＩＢ１５の周波数内ＳＡＩリスト２１１６中に含まれ得る。ビット値の意味は反対にさせられ得、すなわち、「０」は、セルが特定のＳＡＩをサポートしないことを示し得、「１」は、セルが特定のＳＡＩをサポートすることを示し得る。他の態様では、ビット値は、セルが特定のＳＡＩをサポートすることを示すために「真」に設定され得、または、セルが特定のＳＡＩをサポートしないことを示すために「偽」に設定され得る。
【００８９】
[00120]ネイバリングセルへのＳＡＩ２９のマッピングをＵＥに伝達するために、ＳＡＩ２９インデックス２１１２は、ＳＡＩ２９のための一般的なＳＡＩインデックスと、３ビットによって定義されるネイバリングＣＰＩインデックス２１１８とを含む置換されたＳＡＩとしてフォーマットされ得る。ネイバリングＣＰＩインデックス２１１８の３ビットの各々は、ＳＩＢ４  ２１０８にリストされているネイバリングセルの各々に対応する。ビットの値（たとえば、０または１）は、ビットに関連付けられたネイバリングセルが特定のＳＡＩをサポートするかどうかに関するインジケーションとして働く。この例では、セル２２４はＳＡＩ２９をサポートしないので、セル２２４に関連付けられたビット値は「１」であり、セル１０５はＳＡＩ２９をサポートするので、セル１０５に関連付けられたビット値は「０」であり、セル１０３はＳＡＩ２９をサポートしないので、セル１０３に関連付けられたビット値は「１」である。サービングセル、セル１はＳＡＩ２９をサポートするので、サービングセルの第１のビットは「０」に設定される。１６ビットＳＡＩ９インデックス２１１２は、１０進値（５３２７７）または１６進値に変換され得、その形態でＳＩＢ１５の周波数内ＳＡＩリスト２１１６中に含まれ得る。
【００９０】
[00121]ＳＩＢ１５  ２１０６は、周波数内ＳＡＩリスト２１１６、たとえば、ＳＡＩ＿Ｌｉｓｔ＝｛１，２，３６８６９，５３２７７｝を含む。「１」および「２」は、ＳＡＩ１およびＳＡＩ２が、サービングセル：セル１と、ネイバリングセル：セル１０５、セル１０３およびセル２２４との両方上で利用可能であることを示す。周波数内ＳＡＩリスト２１１６中の「３６８６９」は、１つまたは複数のネイバリングセル上で利用可能であり得るＳＡＩの存在を示す。周波数内ＳＡＩリスト２１１６中の「５３２７７」は、１つまたは複数のネイバリングセル上で利用可能であり得るＳＡＩの存在を示す。
【００９１】
[00122]ＵＥ側で、ＳＩＢ１５およびＳＩＢ４の受信時に、ＵＥは、周波数内ＳＡＩリスト２１１６と、ＳＩＢ１５のＣＰＡパラメータ２１２０と、ＳＩＢ４の物理セル識別子２１２２との中に含まれる情報に基づいて、ネイバリングセルへのＳＡＩのマッピングを導出する。周波数内ＳＡＩリスト２１１６中の情報のフォーマットに基づいて、ＵＥは、リスト上のエントリが、置換されたＳＡＩに対応するかどうかを決定する。たとえば、ＳＡＩ＿Ｌｉｓｔ＝｛１，２，３６８６９，５３２７７｝を仮定すれば、ＵＥは、１が、サービングセル：セル１と、すべてのネイバリングセル：セル１０５、セル１０３およびセル２２４とによってＳＡＩ１がサポートされることを示し、２が、サービングセル：セル１と、すべてのネイバリングセル：セル１０５、セル１０３およびセル２２４とによってＳＡＩ１２がサポートされることを示すと決定する。ＵＥは、３６８６９および５３２７７の各々が、置換されたＳＡＩを示すと決定する。したがって、ＵＥは、１０進値の各々を１６ビット値に変換し、ＳＡＩとＳＡＩにマッピングされたネイバリングセルとを導出する。５３２７７の場合、ＵＥは、ビット１〜１２、たとえば、一般的なＳＡＩインデックスに基づいて、ＳＡＩがＳＡＩ５であると決定する。ＵＥは、ビット１３〜１５と、ＳＩＢ４中のＰＣＩｓ２１２２、（たとえば、［２２４，１０５，１０３］）によって識別されるセルの順序とに基づいて、セル２２４（ビット１５＝０）およびセル１０５（ビット１４＝０）がＳＡＩ５をサポートし、セル１０３（ビット１３＝１）がＳＡＩ５をサポートしないとさらに決定する。サービングセル（ビット１６＝１）、セル１は、ＳＡＩ５をサポートしない。
【００９２】
[00123]５２３７７の場合、ＵＥは、ビット１〜１２、たとえば、一般的なＳＡＩインデックスに基づいて、ＳＡＩがＳＡＩ２９であると決定する。ＵＥは、ビット１３〜１６に基づいて、サービングセルであるセル１（ビット１６＝１）がＳＡＩ２９をサポートしないことと、ＳＩＢ４中のＰＣＩｓ２１２２、（たとえば、［２２４，１０５，１０３］）によって識別されるセルおよびサービングセルの順序に基づいて、セル２２４（ビット１５＝１）およびセル１０３（ビット１３＝１）がＳＡＩ２９をサポートせず、セル１０５（ビット１４＝０）であることとをさらに決定する。
【００９３】
[00124]図２２は、サービングセル２２０２およびいくつかの周波数内ネイバリングセル２２０４、サービングセルのための対応するＳＩＢ１５  ２２０６、サービングセルのための対応するＳＩＢ４  ２２０８、置換されたＳＡＩ５インデックス２２１０、ならびに置換されたＳＡＩ２９インデックス２２１２の図２２００である。セル１は、ＳＡＩ１およびＳＡＩ２をサポートする。セル１０３は、ＳＡＩ１およびＳＡＩ２をサポートする。セル２２４は、ＳＡＩ１、ＳＡＩ２およびＳＡＩ５をサポートする。セル１０５は、ＳＡＩ１、ＳＡＩ２、ＳＡＩ５およびＳＡＩ２９をサポートする。この例では、ＵＥはセル１０５にキャンプオンされ、ＵＥがセル１０５から受信するＳＩＢ１５  ２２０６は、ＣＰＡパラメータ２２２０（たとえば、ｍｂｍｓ−ＣＰＡ−ＩｎｔｒａＦｒｅｑ−ｒ１２＝０ｘＢ４）を含む。ＣＰＡパラメータ２２２０は、ＳＡＩｓをネイバリングセルにマッピングするために使用され得る情報の存在を示す。ＣＰＡパラメータ＝０ｘＢ４の場合、それは、特定のＳＡＩをサポートするセルのリストからの１つまたは複数のネイバリングセルを相関させるために２４ビットＳＡＩフォーマット（８拡張ビット＋１６ビットＳＡＩ）が使用されることを示す。８拡張ビットは、１個のサービングセルと７個までのネイバリングセルとが、ＳＩＢ４を用いて特定のＳＡＩと相関され得ることを暗に示す。
【００９４】
[00125]ネイバリングセルへのＳＡＩ５のマッピングをＵＥに伝達するために、ＳＡＩ５インデックス２２１０は、ＳＡＩ５のための一般的なＳＡＩインデックスと、３ビットによって定義されるネイバリングＣＰＩインデックス２２１４とを含む置換されたＳＡＩとしてフォーマットされ得る。ネイバリングＣＰＩインデックス２２１４の３ビットの各々は、ＳＩＢ４  ２２０８にリストされているネイバリングセルの各々に対応する。ビットの値（たとえば、０または１）は、ビットに関連付けられたネイバリングセルが特定のＳＡＩをサポートするかどうかに関するインジケーションとして働く。この例では、セル２２４はＳＡＩ５をサポートするので、セル２２４に関連付けられたビット値は「０」であり、セル１はＳＡＩ５をサポートしないので、セル１に関連付けられたビット値は「１」であり、セル１０３はＳＡＩ５をサポートしないので、セル１０３に関連付けられたビット値は「１」である。新しい２４ビットＳＡＩフォーマットインデックス２２１０に対する置換されたＳＡＩ５は、１０進値（３１４５７３３）または１６進値（０ｘ３００００５）に変換され得、その形態でＳＩＢ１５の周波数内ＳＡＩリスト２２１６中に含まれ得る。ＵＥは、フォーマット、たとえば大きい１０進値、または１６進値に基づいて置換されたＳＡＩを認識し得る。代替的に、ＵＥは、ＵＳＤがＳＩＢ１５中のＳＡＩを含まない場合、そのＳＡＩが、置換されたＳＡＩであると決定し得る。
【００９５】
[00126]ネイバリングセルへのＳＡＩ２９のマッピングをＵＥに伝達するために、ＳＡＩ２９インデックス２２１２は、ＳＡＩ２９のための一般的なＳＡＩインデックスと、３ビットによって定義されるネイバリングＣＰＩインデックス２２１８とを含む置換されたＳＡＩとしてフォーマットされ得る。ネイバリングＣＰＩインデックス２２１８の３ビットの各々は、ＳＩＢ４  ２２０８にリストされているネイバリングセルの各々に対応する。ビットの値（たとえば、０または１）は、ビットに関連付けられたネイバリングセルが特定のＳＡＩをサポートするかどうかに関するインジケーションとして働く。この例では、セル１０５はＳＡＩ２９をサポートするので、サービングセルに関連付けられたビット値は「０」であり、セル２２４はＳＡＩ２９をサポートしないので、セル２２４に関連付けられたビット値は「１」であり、セル１はＳＡＩ２９をサポートしないので、セル１に関連付けられたビット値は「１」であり、セル１０３はＳＡＩ２９をサポートしないセル１０３に関連付けられたビット値は「１」である。１６ビットＳＡＩ２９インデックス２２１２は、１０進値（７３４００６１）または１６進値（０ｘ７０００１Ｄ）に変換され得、その形態でＳＩＢ１５の周波数内ＳＡＩリスト２２１６中に含まれ得る。
【００９６】
[00127]ＳＩＢ１５  ２２０６は、周波数内ＳＡＩリスト２２１６、たとえば、ＳＡＩ＿Ｌｉｓｔ＝｛１，２，３１４５７３３，７３４００６１｝を含む。「１」および「２」は、ＳＡＩ１およびＳＡＩ２が、サービングセル：セル１と、ネイバリングセル：セル１０５、セル１０３およびセル２２４との両方上で利用可能であることを示す。周波数内ＳＡＩリスト２２１６中の「３１４５７３３」は、１つまたは複数のネイバリングセル上で利用可能であり得るＳＡＩの存在を示す。周波数内ＳＡＩリスト２２１６中の「７３４００６１」は、１つまたは複数のネイバリングセル上で利用可能であり得るＳＡＩの存在を示す。
【００９７】
[00128]ＵＥ側で、ＳＩＢ１５およびＳＩＢ４の受信時に、ＵＥは、周波数内ＳＡＩリスト２２１６と、ＳＩＢ１５のＣＰＡパラメータ２２２０と、ＳＩＢ４の物理セル識別子２２２２との中に含まれる情報に基づいて、ネイバリングセルへのＳＡＩのマッピングを導出する。周波数内ＳＡＩリスト２２１６中の情報のフォーマットに基づいて、ＵＥは、リスト上のエントリが、置換されたＳＡＩに対応するかどうかを決定する。たとえば、ＣＰＡパラメータ＝０ｘＢ４に関連付けられるにおいてＳＡＩ＿Ｌｉｓｔ＝｛１，２，３１４５７３３，７３４００６１｝を仮定すれば、ＵＥは、「１」が、サービングセル：セル１と、すべてのネイバリングセル：セル１０５、セル１０３およびセル２２４とによってＳＡＩ１がサポートされることを示し、「２」が、サービングセル：セル１と、すべてのネイバリングセル：セル１０５、セル１０３およびセル２２４とによってＳＡＩ２がサポートされることを示すと決定する。ＵＥは、「３１４５７３３」および「７３４００６１」の各々が、置換されたＳＡＩを示すと決定する。したがって、ＵＥは、１０進値の各々を２４ビット値に変換し、ＳＡＩとＳＡＩにマッピングされたネイバリングセルとを導出する。「３１４５７３３」の場合、ＵＥは、ビット１〜１６、たとえば、一般的なＳＡＩインデックスに基づいて、ＳＡＩがＳＡＩ５であると決定する。ＣＰＡ値が「０ｘＢ４」に設定された場合、ＵＥは、ビット２１〜２４と、ビット２４がサービングセルを表すことと、ビット２１〜２３がＳＩＢ４のＰＣＩｓ２２２２（たとえば、［２２４，１，１０３］）中で識別されるセルの順序と相関されることとに基づいて、セル２２４（ビット２３＝０）がＳＡＩ５をサポートし、セル１（ビット２２＝１）およびセル１０３（ビット２１＝１）がＳＡＩ５をサポートしないとさらに決定する。
【００９８】
[00129]「７３４００６１」の場合、ＵＥは、ビット１〜１６、たとえば、一般的なＳＡＩインデックスに基づいて、ＳＡＩがＳＡＩ２９であると決定する。ＣＰＡ値が「０ｘＢ４」に設定された場合、ＵＥは、ビット２１〜２３と、ＳＩＢ４のＰＣＩｓ２２２２（たとえば、［２２４，１，１０３］）中で識別されるセルの順序とに基づいて、セル２２４（ビット２３＝１）、セル１（ビット２２＝１）およびセル１０３（ビット２１＝１）がＳＡＩ２９をサポートしないとさらに決定する。上記のマッピング機構は、周波数間ＳＡＩリスト２２２４に同様に適用され得る。
【００９９】
[00130]図２３は、追加の随意のパラメータ２３０２、ｍｂｍｓ−ｐｃｉ＿ｃａｉ＿ｉｎｔｅｒｅｓｔを含み得るｅＭＢＭＳ関心インジケータメッセージ２３００の図である。ｍｂｍｓ−ｐｃｉ＿ｃａｉ＿ｉｎｔｅｒｅｓｔパラメータ２３０２は、ＲＲＣコネクトモード中に使用され得、ハンドオーバに関係する。ｅＭＢＭＳ関心インジケータメッセージ２３００は、セルハンドオーバのためにネットワークから支援を取得するために、およびｅＭＢＭＳのためのキャリアアグリゲーション選好をネットワークに通知するために、ＵＥによって、サービングセルのネットワークコンポーネント、たとえば、ｅＮＢに送られ得る。
【０１００】
[00131]ｍｂｍｓ−ｐｃｉ＿ｃａｉ＿ｉｎｔｅｒｅｓｔ−ｒ１２パラメータ２３０２は、２つのコンポーネント、＜Ｐｈｙｓｉｃａｌ＿Ｃｅｌｌ＿Ｉｄ＞２３０４、たとえば、３９１と、＜Ｃａｒｒｉｅｒ＿Ａｇｇｒｅｇａｔｉｏｎ＿Ｉｎｄｅｘ＞２３０６、たとえば、Ｙとを含む。キャリアアグリゲーションインデックス（ＣＡＩ）２３０６がｍｂｍｓ−ｐｃｉ＿ｃａｉ＿ｉｎｔｅｒｅｓｔパラメータ２３０２中に含まれないか、または、ＣＡＩの値Ｙが、非ＣＡオプションを示す値に設定された場合、通常のマルチバンドシナリオは、ｅＭＢＭＳ関心インジケータメッセージ２３００中に含まれるＰＣＩが、ＵＥがキャンプオンされたセルの周波数とは異なる周波数に関連付けられるという条件で、適用される。
【０１０１】
[00132]ＣＡＩ２３０６が、キャリアアグリゲーションオプションを示すｍｂｍｓ−ｐｃｉ＿ｃａｉ＿ｉｎｔｅｒｅｓｔパラメータ２３０２中に値Ｙを有する場合、ネットワークコンポーネントは、キャリアアグリゲーションオプションに基づいてＣＡ機能を実装し、および／またはハンドオーバ性能を支援し得る。ＣＡＩ２３０６に割り当てられた特定の値は、値対オプションのマッピングによって定義される様々なキャリアアグリゲーションオプションのうちの１つを表し得る。これらのオプションは、ＵＥが、ｅＭＢＭＳにおいて、キャリアアグリゲーション動作、たとえば、ＣＡ呼に関与する間のセル使用のためのＵＥの選好をネットワークコンポーネントに通知することを意図される。以下は、ｅＭＢＭＳのためのＣＡＩ２３０６の値Ｙのマッピングについてのいくつかの例である。
【０１０２】
[00133]「０」またはヌル−キャリアアグリゲーションは考慮されない。
【０１０３】
[00134]「１」−ＤＬサポートのみをもつ２次コンポーネントキャリア（ＳＣＣ：Secondary Component Carrier）として働く新しいセル上でのキャリアアグリゲーション（非対称アグリゲーション）
【０１０４】
[00135]「２」−ＤＬアグリゲーション／ＵＬアグリゲーションの両方をもつＳＣＣとして働く新しいセル上でのキャリアアグリゲーション
【０１０５】
[00136]「３」−新しい１次コンポーネントキャリア（ＰＣＣ：Primary Component Carrier）として働く新しいセル上でのキャリアアグリゲーション
【０１０６】
[00137]「４」−構成可能な２次セル（ｃ−ＳＣｅｌｌ：configurable secondary cell）として働く新しいセル上でのキャリアアグリゲーション
【０１０７】
[00138]ＣＡＩ２３０６を「１」または「２」に設定することは、ｍｂｍｓ−ｐｃｉ＿ｃａｉ＿ｉｎｔｅｒｅｓｔパラメータ２３０２中に含まれる＜Ｐｈｙｓｉｃａｌ＿Ｃｅｌｌ＿Ｉｄ＞２３０４に対応する新しいセルが、キャリアアグリゲーションのためのＳＣＣとして使用されることがＵＥによって選好されることを示し得る。この場合、ネットワークは、ＤＬ上でのみ、またはＤＬ／ＵＬの両方上でキャリアアグリゲーションを実装すると決定し得る。ＣＡＩ２３０６を「３」に設定することは、ｍｂｍｓ−ｐｃｉ＿ｃａｉ＿ｉｎｔｅｒｅｓｔパラメータ２３０２中に含まれる＜Ｐｈｙｓｉｃａｌ＿Ｃｅｌｌ＿Ｉｄ＞２３０４に対応する新しいセルが、キャリアアグリゲーションのための１次コンポーネントキャリア（ＰＣＣ）として使用されることがＵＥによって選好されることを示し得る。この場合、ネットワークは、ＰＣＣとして使用される新しいセルへのセルハンドオーバを実行し得、古いセルはＳＣＣとして働く。
【０１０８】
[00139]図２４は、ＳＩＢ１５の周波数間リスト２４０２を表すための別の代替フォーマットの図２４００を含む。本明細書で開示される実施形態によれば、ＭＢＭＳ−Ｃｅｌｌ−ＰＣＩ＿ＣＡ２４０４の随意のパラメータが、｛［ＰＣＩ，ＣＡＩ］，［ＰＣＩ’，ＣＡＩ’］｝のリストを与えるために周波数間リスト２４０２中に含まれ得る。ｄｌ−ＣａｒｒｉｅｒＦｒｅｑパラメータ２４０６は、ネイバリング周波数間セルのコンポーネントキャリア（たとえば、ｅａｒｆｃｎ２１７５）を指定する。ＰＣＩは、ＳＩＢ５とハッシングする（hash）ために使用されるのと同じであり得る。ＳＩＢ１５中のＣＡＩ情報は、キャリアサポートのＵＥのネイバリングセルの使用選好に関する、ネットワークからＵＥへのレコメンデーション（recommendation）を暗に示す。キャリアアグリゲーションサービスがＲＲＣ接続モードの下でＵＥによって開始されるので、ＵＥは、ネットワークのレコメンデーションをピギーバックする（piggy back）か、または前に説明されたようにｅＭＢＭＳ関心インジケーションメッセージ中で異なるＣＡカテゴリー要求をするか、のいずれかを行うことができる。
【０１０９】
[00140]ＭＢＭＳ−Ｃｅｌｌ−ＰＣＩ＿ＣＡ２４０４のＣＡＩは、セルがバンド内／バンド間連続である、１次コンポーネントキャリア（ＰＣＣ）または２次コンポーネントキャリア（ＳＣＣ）としてのセルの使用のための選好、セル上の異なる帯域幅、あるいはセルがダウンリンクのみをサポートする、のうちの１つを示し得る。ＣＡＩは、ＵＥが決定のために新しいセルのＳＩＢ２を収集する必要がないように、（ＰＣＣ  ＤＬ／ＵＬ情報のための）ＳＩＢ２中の情報の早期のインジケータ（an earlier indicator）として働く。
【０１１０】
[00141]図２５は、ＳＩＢ１５の第１の周波数間リスト２５０２および第２の周波数間リスト２５０４ならびにＳＩＢ５の周波数間キャリア周波数リスト２５０６の図２５００を含む。本明細書で開示される実施形態によれば、周波数間リスト２５０２、２５０４の各々は、ＭＢＭＳ−Ｃｅｌｌ−ＰＣＩ＿ＣＡ２５０８、２５１０、２５１２のうちの１つまたは複数の随意のパラメータを含み得る。これらのパラメータ２５０８、２５１０、２５１２は、｛［ＰＣＩ，ＣＡＩ］，［ＰＣＩ’，ＣＡＩ’］｝のリストを与える。ｄｌ−ＣａｒｒｉｅｒＦｒｅｑパラメータ２５１４、２５１６は、ネイバリング周波数間セルのためのコンポーネントキャリア（たとえば、ｅａｒｆｃｎ２１７５、ｅａｒｆｃｎ２３３９）を指定する。
【０１１１】
[00142]ＭＢＭＳ−Ｃｅｌｌ−ＰＣＩ＿ＣＡパラメータ２５０８、２５１０、２５１２のＣＡＩは、セルがバンド内／バンド間連続である、１次コンポーネントキャリア（ＰＣＣ）または２次コンポーネントキャリア（ＳＣＣ）としてのセルの使用のための選好、セル上の異なる帯域幅、あるいはセルがダウンリンクのみをサポートする、のうちの１つを示し得る。ＣＡＩは、ＵＥが決定のために新しいセルのＳＩＢ２を収集する必要がないように、（ＰＣＣ  ＤＬ／ＵＬ情報のための）ＳＩＢ２中の情報の早期のインジケータとして働く。キャリアアグリゲーションが接続モードのみでサポートされるので、ｅＭＢＭＳ関心インジケーションの修正が提案される。
【０１１２】
[00143]代替Ａ３：ＳＩＢ４およびＳＩＢ５内で物理セル識別子（ＰＣＩ）によってセルのグループを作成する。
【０１１３】
[00144]図２６は、ＳＩＢ４およびＳＩＢ５の部分の図２６００である。上記の代替に対する拡張として、同じＳＡＩｓをサポートするネイバリングセルのグループが、ＳＩＢ４またはＳＩＢ５のいずれか中で示され得る。この目的で、ＳＩＢ４のＰｈｙｓＣｅｌｌＩｄパラメータ２６０２およびＳＩＢ５のｉｎｔｅｒＦｒｅｑＮｅｉｇｈｂＣｅｌｌＬｉｓｔ２６０６は、共通ＳＡＩサポートに基づいてＰＣＩｓのセット中でネイバリングセルを順序付け得、各セット中でＰＣＩｓの数を与え得る。たとえば、図９に関して、パラメータ２６０２は、順序付きＰＣＩリスト［１０７，１２９，２０３，１３５，１５６，１６２，４，２０５］を与え得る。パラメータ２６０４は、次いで、同じｅＭＢＭＳコンテンツをブロードキャストするネイバリングセルの各グループについてセルの数を与え得る。たとえば、パラメータ２６０４はリスト［３，３，２］を与え得、これは、ネイバリングセルが、ＰＣＩｓ［１０７，１２９，２０３］を有するグループ１中のセルのセットと、ＰＣＩ２［１３５，１５６，１６２］を有するグループ２中のセルのセットと、ＰＣＩｓ［４，２０５］を有するグループ３中のセルのセットとをもつコンテンツの３つの異なるセットをブロードキャストしていることを意味する。したがって、新しいセルへの周波数内切替えを行う前に、デバイスは、現在のセルと周波数内ネイバーセルとの間のコンテンツ差に気づいているであろう。
【０１１４】
[00145]同様の情報は、ＳＩＢ５中の周波数間ネイバーのためにも与えられ得る。たとえば、図９に関して、パラメータ２６０６は、順序付きＰＣＩリスト［１０８，１３０，２０４，１３６，１５７，１６３，５，２０６］を与え得る。パラメータ２６０８は、次いで、同じｅＭＢＭＳコンテンツをブロードキャストするネイバリングセルの各グループについてセルの数を与え得る。たとえば、パラメータ２６０４はリスト［４，２，２］を与え得、これは、周波数間ネイバリングセルが、ＰＣＩｓ［１０８，１３０，２０４，１３６］を有するグループ１中のセルのセットと、ＰＣＩ２［１５７，１６３］を有するグループ２中のセルのセットと、ＰＣＩｓ［５，２０６］を有するグループ３中のセルのセットとをもつコンテンツの３つの異なるセットをブロードキャストしていることを意味する。したがって、新しいセルへの周波数間切替えと、ネイバー周波数に対してＰＣＩ測定を使用してネイバリング周波数間セル上でサポートされるＳＡＩｓの初期プローブとを行う前に、デバイスは、ネイバリングセル上のコンテンツが同じままであるかどうか、または、周波数間ネイバリングセル上でサポートされるＳＡＩｓのリストを発見するために再びネイバリングセルをプローブすることをデバイスが希望し得ることを意味する、ネイバリング周波数間セルが新しいグループ中のセルに変化したかどうかに気づいているであろう。ＳＩＢ４のＥｍｂｍｓ−ＩｎｔｒＦｒｅｑＮｅｉｇｈＣｅｌｌＧｒｏｕｐｓパラメータ２６０４とＳＩＢ５のＥｍｂｍｓ−ＩｎｔｒＦｒｅｑＮｅｉｇｈＣｅｌｌＧｒｏｕｐｓパラメータ２６０８とは、暗黙的インデックス付け：グループ０、１などを含み得、ここにおいて、グループごとのＰＣＩｓの数は、ＰｈｙｓＣｅｌｌＩｄパラメータ２６０２またはｉｎｔｅｒＦｒｅｑＮｉｇｈｂＣｅｌｌＬｉｓｔ２６０６中の連続するＰｃｅｌｌＩｄｓを示す。
【０１１５】
[00146]図２７は、簡略化されたＳＩＢ１５の図２７００である。ＳＩＢ１５は、ＳＩＢ４のＥｍｂｍｓ−ＩｎｔｒＦｒｅｑＮｅｉｇｈＣｅｌｌＧｒｏｕｐｓパラメータ２６０４（図２６）において定義されているようなＰＣＩグループのインデックスをリストする１つまたは複数の周波数内インデックスパラメータ２７０２、２７０４を含み得る。ＳＩＢ１５は、ＳＩＢ５のＥｍｂｍｓ−ＩｎｔｒＦｒｅｑＮｅｉｇｈＣｅｌｌＧｒｏｕｐｓパラメータ２６０８（図２６）において定義されているようなＰＣＩグループのインデックスをリストする１つまたは複数の周波数間インデックスパラメータ２７０６をも含み得る。
【０１１６】
[00147]代替Ａ４：あらゆるネイバリングセルまたはセルグループにＳＩＢ１５ハッシュを与える
【０１１７】
[00148]図２８は、上記の場合のようにＰＣＩおよびＥＡＲＦＣＮによって識別される各ネイバリングセルリスト上にＳＩＢ１５のハッシュを含むＳＩＢ１５の図２８００である。ハッシュは、ネイバリングセル中の周波数リスト上の計算されたＣＲＣであり得る。上記の代替に対する別の拡張では、ハッシュは、ネイバリングセルのＳＩＢ１５のコンテンツを決定するために使用される。これは、ＵＥが、マスタＳＩＢ１５とネイバリングセルのＳＩＢ１５のハッシュとから、現在のサービングセルおよびネイバリングセルのＳＩＢ１５コンテンツを決定することを可能にする。この拡張ＳＩＢ１５  ２８００は、現在のサービングセル周波数およびネイバリングセル周波数上でサポートされるすべてのＳＡＩｓのマスタリストまたはスーパーセットリストを含んでいる。周波数内リストは、現在のセルおよび周波数内ネイバリングセル上でサポートされるすべてのＳＡＩｓのリストを含んでいる。周波数間リストは、各所与の周波数上のすべてのセル上で搬送されるすべてのＳＡＩｓのセットを含んでいる。周波数内ネイバリングセルについて、および前に説明されたＳＩＢ４拡張において定義されるインデックスによって識別されるセルの各グループについて、拡張ＳＩＢ１５は、そのセルのための周波数内ＳＡＩリストのハッシュを与えるであろう。周波数内ネイバーについて、周波数間ネイバーのためのＳＡＩｓは現在のセルのものと同じであり、したがって、追加の計算は必要とされない。しかしながら、（現在のセルのグループを含む）各周波数内セルグループ中でブロードキャストされる実際のＳＡＩｓのリストについて、ＵＥは、あるサブセットが、与えられたハッシュに一致するまで（ハッシュは、リスト自体上にあり得るか、または関心のセルのためのＳＩＢ１５全体上にあり得る）、周波数内セルリスト中のＳＡＩｓのすべての異なるサブセットを試みる。このようにして、デバイスは、どのＳＡＩｓが現在の周波数上の各セル上でサポートされるかを決定することが可能である。インデックス０は、現在のサービングセルを含んでいるグループのために予約され得る。インデックス１以降は、前に示されたように周波数内ＰＣＩグループのセットを示すであろう。ハッシュ関数／方式は、１６ビットＣＲＣ、ＭＤ５または他のハッシング方式であり得る。
【０１１８】
[00149]代替的に、周波数間ネイバーについて、ＳＩＢ１５リストは別様に構成されなければならない。このネイバーセル上でブロードキャストされるＳＡＩｓが、関心のＳＡＩである。このネイバーセル上でブロードキャストされるＳＡＩｓは、マスタＳＡＩにおいてその周波数のために指定されるＳＡＩｓのサブセットである。ハッシュがこのサブセットリストに与えられる。ＵＥは、あるリストが、与えられたハッシュに一致するまで（ハッシュは、リスト自体上にあり得るか、または関心のセルのためのＳＩＢ１５全体上にあり得る）、その周波数上でＳＡＩｓのすべての異なるサブセットリストを試みることができる。したがって、ＵＥは、セルの各ネイバリンググループ上でブロードキャストされるすべてのＳＡＩｓを決定することができる。前に説明されたように、ネイバリングセルのグループは、ＳＩＢ５中のインデックスによって識別され得る。ネイバー周波数に対するＰＣＩ強度測定を通して、ＵＥは、周波数間ネイバーがセルのどのグループに属するかを決定することができ、次いで、本明細書で説明されるプロセスを通して、どのＳＡＩｓがネイバリング周波数間セルの各々上でブロードキャストされるかを決定することができる。マスタＳＡＩリストと周波数内および周波数間ネイバーの各グループについてのハッシュとを用いて、ＵＥは、各ネイバリングセルによってブロードキャストされるＳＡＩリストを決定し得、現在必要とされているようにＳＩＢ１５を読み取るために各ネイバリングセルに接続する必要なしに、どのＳＡＩｓがブロードキャストされるかを正確に決定することができる。
【０１１９】
[00150]図２９は、ワイヤレス通信の方法のフローチャート２９００である。本方法は、サービングセルにキャンプオンされたＵＥによって実行され得る。本方法は、ネイバリングセルのリストとＳＡＩｓのリストとを伴う。ネイバリングセルのリストは第１のシステム情報メッセージの第１のパラメータ中に含まれ得、ＳＡＩｓのリストは第２のシステム情報メッセージの第２のパラメータ中に含まれ得る。第１のシステム情報メッセージと第２のシステム情報メッセージとは、ＳＩＢ１５など、同じメッセージであり得るか、または、ＳＩＢ４およびＳＩＢ１５、ＳＩＢ５およびＳＩＢ１５、ならびにＳＩＢ４、ＳＩＢ５およびＳＩＢ１５など、異なるメッセージの組合せであり得る。たとえば、第２のパラメータはＳＩＢ１５中に含まれ得、いくつかの実施形態では、第１のパラメータは、ＳＩＢ１５中に含まれるネイバリングＰＣＩリストであり得る。したがって、この場合、ＳＩＢ１５は、第１のシステム情報メッセージと第２のシステム情報メッセージの両方である。他の実施形態では、第１のパラメータは、ＳＩＢ４またはＳＩＢ５中に含まれるネイバリングＰＣＩリストであり得、第２のパラメータ、たとえば、ＳＡＩ情報は、ＳＩＢ１５中に含まれる。したがって、この場合、第１のシステム情報メッセージ、たとえば、ＳＩＢ４またはＳＩＢ５は、第２のシステム情報メッセージ、たとえば、ＳＩＢ１５とは異なる。動作２９０２において、ＵＥが、サービングセルのネイバリングセルのリストを受信する。ネイバリングセルのリストは、第１のシステム情報メッセージの第１のパラメータ中に含まれ得る。第１のシステム情報メッセージは、ネットワークコンポーネント、たとえば、ｅＮＢから受信され得る。ネイバリングセルのリストは、周波数内ネイバリングセルのリストおよび／または周波数間ネイバリングセルのリストを含み得る。周波数間ネイバリングセルの場合、ネイバリングセルのリストは複数のリストを含み得、ここにおいて、各リストが異なるキャリア周波数に対応する。
【０１２０】
[00151]本明細書で開示される実施形態によれば、第１のパラメータはＳＩＢ１５中に含まれるネイバリングＰＣＩリストであり得、その場合、ＳＩＢ１５が第１のシステム情報メッセージである。たとえば、図１４に関して、第１のパラメータは、ＳＩＢ１５  １４０６中に含まれるｍｂｍｓＮｅｉｇｈｂｏｒｉｎｇ−ＰＣＩ−Ｌｉｓｔ−ｉｎｔｒａＦｒｅｑ−ｒ１２  １４１０であり得る。別の例では、図３５に関して、第１のパラメータは、ＳＩＢ１５  ３５０６中に含まれるｍｂｍｓ−Ｎｅｉｇｈｂｏｒｉｎｇ−ＰＣＩ−Ｌｉｓｔ−ＩｎｔｅｒＦｒｅｑ−ｒ１２であり得る。この実施形態では、追加情報、たとえば、ネイバリングセル情報は、第１のパラメータの追加によってＳＩＢ１５中に直接含まれる。別の実施形態では、第１のパラメータは、ＳＩＢ４またはＳＩＢ５中に含まれる、ネイバリングセル周波数情報、たとえば、ＰＣＩｓに対応し得、その場合、ＳＩＢ４またはＳＩＢ５が第１のシステム情報メッセージである。たとえば、図２１に関して、第１のパラメータは、ＳＩＢ４  ２１０８中に含まれるＰＣＩｓ２１２２であり得る。
【０１２１】
[00152]動作２９０４において、ＵＥが、サービスエリア識別子（ＳＡＩ）のリストを受信する。ＳＡＩｓのリストは、第２のシステム情報メッセージの第２のパラメータ中に含まれ得る。第２のシステム情報メッセージは、ネットワークコンポーネント、たとえば、ｅＮＢから受信され得る。本明細書で開示される実施形態によれば、第２のパラメータはＳＩＢ１５中に含まれるＳＡＩリストであり得、その場合、ＳＩＢ１５が第２の情報メッセージである。たとえば、図１４に関して、第２のパラメータは、ＳＩＢ１５  １４０６中に含まれるｍｂｍｓ−ＳＡＩ−ＩｎｔｒａＦｒｅｑ−ｒ１１  １４１６であり得る。別の例では、図３５に関して、第２のパラメータは、ＳＩＢ１５  ３５０６中に含まれるｍｂｍｓ−ＳＡＩ−ＩｎｔｅｒＦｒｅｑＬｉｓｔ−ｒ１１であり得る。ＳＡＩｓのリストは、サービングセルと、ネイバリングセルのうちの１つまたは複数とによってサポートされるＳＡＩｓを含む。ＳＡＩｓのうちの少なくとも１つが、ネイバリングセルのリスト中に含まれるネイバリングセルのうちの１つまたは複数にＳＡＩをマッピングするマッピング情報を含むようにフォーマットされる。
【０１２２】
[00153]ＳＡＩｓのリストはセルのセットに関連付けられ得、ここにおいて、セルのセット中の各セルがＰＣＩによって識別される。一実施形態では、ネイバリングセルのリストは、ＵＥによって受信された第１のシステム情報メッセージ中に含まれるインデックスに基づいて取得され得る。インデックスは、ＳＡＩｓのリスト中の少なくとも１つのＳＡＩについて、少なくとも１つのＳＡＩをサポートするＰＣＩｓのセットを暗黙的に定義し得る。一実施形態では、ＳＡＩｓのマスタリストは周波数ごとに与えられ、セルのグループごとに搬送されるＳＡＩｓのリストは、そのセルと同じ周波数上で搬送されるＳＡＩｓのサブリストのハッシュとして与えられる。
【０１２３】
[00154]動作２９０６において、ＵＥは、ＳＡＩをサポートする１つまたは複数のネイバリングセルを決定するために少なくとも１つのＳＡＩを処理する。一構成では、ＳＡＩは、複数のビットを含むＳＡＩインデックスの１０進値または１６進値のうちの１つとしてフォーマットされる。たとえば、図１５に関して、ＳＡＩは、１６ビットＳＡＩインデックス１５０８としてフォーマットされ得る。マッピング情報、たとえばビット値は、ＳＡＩインデックス１５０８のマッピング領域中に含まれる。引き続き図１５を参照すると、マッピング領域は、ネイバリングＣＰＩインデックス１５１４と自己関連付けビット１５１６とを含み得る、４つのＭＳＢｓであり得る。ＵＥは、ＳＡＩをＳＡＩインデックスに変換することと、マッピング領域からマッピング情報を取得することと、マッピング情報に基づいてＳＡＩをサポートする１つまたは複数のネイバリングセルを決定することとによって、ＳＡＩを処理する。このプロセスは、たとえば、図１５、図１６、図２１および図２２を参照しながら、上記で詳細に説明された。
【０１２４】
[00155]上記のプロセスは、サポートネイバリングセルにＳＡＩｓをマッピングする情報をＵＥに与え、ＵＥによるサービスのアクティブ化は、関心のＳＡＩに関連付けられたネイバリングセルがＵＥのネイバリングセルリスト（ＮＣＬ）内にあるかどうかに依存することに留意されたい。したがって、サービスのアクティブ化につながる、ＵＥによって実行される追加の動作は、たとえば、信号品質測定、たとえば、ＲＳＲＰを通した、ＵＥによる１つまたは複数のネイバリングセルの検出と、ＮＣＬリスト中にあり、関心のＳＡＩにも関連付けられたセルの存在を決定することとを含み得る。
【０１２５】
[00156]随意の動作２９０８において、ＵＥは、図２３に示されているように、ｅＭＢＭＳ関心インジケーションメッセージをｅＮＢに送り得る。ＵＥからのメッセージの受信時に、ｅＮＢは、ＵＥがキャリアアグリゲーションのために構成されるとき、適切なセルハンドオーバプロセスを実行するためにＵＥを支援し得る。ＣＡＩは、ネイバリングセルのための以下の機能、すなわち、２次コンポーネントキャリアとしてのサービス、１次コンポーネントキャリアとしてのサービス、または構成可能な２次セルとしてのサービスのうちの１つを示し得る。
【０１２６】
[00157]図３０は、例示的な装置３００２中の異なる手段／コンポーネント間のデータフローを示す概念データフロー図３０００である。本装置は、サービングセル３０５０にキャンプオンされたＵＥであり得る。本装置は、サービングセル３０５０のネイバリングセルのリストと、サービングセル３０５０からのＳＡＩｓのリストとを受信する受信コンポーネント３００４を含む。受信コンポーネント３００４は、１つまたは複数のネイバリングセル３０５２からの信号をも受信し得る。
【０１２７】
[00158]ネイバリングセルのリストは第１のシステム情報メッセージの第１のパラメータ中に含まれ得、ＳＡＩｓのリストは第２のシステム情報メッセージの第２のパラメータ中に含まれ得る。第１のシステム情報メッセージと第２のシステム情報メッセージとは、ＳＩＢ１５など、同じメッセージであり得るか、または、ＳＩＢ４およびＳＩＢ１５、ＳＩＢ５およびＳＩＢ１５、ならびにＳＩＢ４、ＳＩＢ５およびＳＩＢ１５など、異なるメッセージの組合せであり得る。たとえば、上述のように、第２のパラメータはＳＩＢ１５中に含まれ、いくつかの実施形態では、第１のパラメータは、ＳＩＢ１５中に含まれるネイバリングＰＣＩリストであり得る。したがって、この場合、ＳＩＢ１５は、第１のシステム情報メッセージと第２のシステム情報メッセージの両方である。他の実施形態では、第１のパラメータは、ＳＩＢ４またはＳＩＢ５中に含まれるネイバリングＰＣＩリストであり得、第２のパラメータ、たとえば、ＳＡＩ情報は、ＳＩＢ１５中に含まれる。したがって、この場合、第１のシステム情報メッセージ、たとえば、ＳＩＢ４またはＳＩＢ５は、第２のシステム情報メッセージ、たとえば、ＳＩＢ１５とは異なる。
【０１２８】
[00159]第２のシステム情報メッセージによって与えられるＳＡＩｓのリストは、サービングセルと、ネイバリングセルのうちの少なくとも１つとによってサポートされるＳＡＩｓを含む。ＳＡＩｓのうちの少なくとも１つが、ネイバリングセルのリスト中に含まれるネイバリングセルのうちの１つまたは複数にＳＡＩをマッピングするマッピング情報を含むようにフォーマットされる。ネイバリングセルのいずれもＳＡＩをサポートしない場合、ＵＥは、周波数間ネイバリングセルの場合、「無線競合（radio conflict）」が原因でＴＭＧＩアクティブ化に失敗することがあり、周波数内ネイバリングセルの場合、ハンドオーバが実行されないことがある。現在の規格の下で、ネイバリングセルのいずれもＳＡＩをサポートしない状況が、前に説明された「行き当たりばったりの（hit and miss）」または「偽ハンドオーバ（false handover）」状態をもたらし得る。
【０１２９】
[00160]本装置は、ＳＡＩをサポートする１つまたは複数のネイバリングセルを決定するために少なくとも１つのＳＡＩを処理するＳＡＩ／ネイバリングセル処理コンポーネント３００６をも含む。この目的で、ＳＡＩ／ネイバリングセル処理コンポーネント３００６は、ＳＡＩをＳＡＩインデックスに変換することと、マッピング領域からマッピング情報を取得することと、マッピング情報に基づいてＳＡＩをサポートする１つまたは複数のネイバリングセルを決定することとを行うように構成され得る。ＳＡＩ／ネイバリングセル処理コンポーネント３００６はまた、ネイバリングセルのための品質測定、たとえば、基準シンボル受信電力（ＲＳＲＰ：reference symbol received power）を導出するためにネイバリングセル３０５２から受信された信号を処理し得る。品質測定に基づいて、ＳＡＩ／ネイバリングセル処理コンポーネント３００６は、ネイバリングセル３０５２が、知られているＬＴＥ動作に従ってＵＥのＮＣＬに追加されるべきかどうかを決定する。たとえば、ＵＥは、ネイバリングセルの測定されたＲＳＲＰに基づいてネイバリングセル３０５２を追加すると決定し得る。ＮＣＬ中に含まれるセルは、ハンドオーバ候補セルと見なされ得る。ＳＡＩ／ネイバリングセル処理コンポーネント３００６はまた、ｅＭＢＭＳ関心インジケーションメッセージをサービングネットワークに送るべきかどうかを決定し得る。
【０１３０】
[00161]本装置は、ＳＡＩ／ネイバーセル処理コンポーネント３００６からの出力に応答して、図２３に示されているように、ＲＲＣ接続モードを介してｅＭＢＭＳ関心インジケーションメッセージをｅＮＢに送信し得る送信コンポーネント３００８をも含む。このメッセージは、ハンドオーバプロセスおよびキャリアアグリゲーションのためにネットワークから支援を取得する目的で使用される。
【０１３１】
[00162]本装置は、図２９の上述のフローチャート中のアルゴリズムの動作の各々を実行する追加のコンポーネントを含み得る。したがって、図２９の上述のフローチャート中の各動作は１つのコンポーネントによって実行され得、本装置は、それらのコンポーネントのうちの１つまたは複数を含み得る。コンポーネントは、述べられたプロセス／アルゴリズムを行うように特に構成された１つまたは複数のハードウェアコンポーネントであるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【０１３２】
[00163]図３１は、処理システム３１１４を採用する装置３００２’のためのハードウェア実装形態の一例を示す図３１００である。処理システム３１１４は、バス３１２４によって一般的に表されるバスアーキテクチャを用いて実装され得る。バス３１２４は、処理システム３１１４の特定の適用例および全体的な設計制約に応じて、任意の数の相互接続バスおよびブリッジを含み得る。バス３１２４は、プロセッサ３１０４によって表される１つまたは複数のプロセッサおよび／またはハードウェアコンポーネントと、コンポーネント３００４、３００６、３００８と、コンピュータ可読媒体／メモリ３１０６とを含む様々な回路を互いにリンクする。バス３１２４はまた、タイミングソース、周辺機器、電圧調整器、および電力管理回路など、様々な他の回路をリンクし得るが、これらは当技術分野においてよく知られており、したがって、これ以上説明しない。
【０１３３】
[00164]処理システム３１１４はトランシーバ３１１０に結合され得る。トランシーバ３１１０は１つまたは複数のアンテナ３１２０に結合される。トランシーバ３１１０は、伝送媒体を介して様々な他の装置と通信するための手段を与える。トランシーバ３１１０は、１つまたは複数のアンテナ３１２０から信号を受信し、受信された信号から情報を抽出し、抽出された情報を処理システム３１１４、特に受信コンポーネント３００４に与える。さらに、トランシーバ３１１０は、処理システム３１１４、特に送信コンポーネント３００８から情報を受信し、受信された情報に基づいて、１つまたは複数のアンテナ３１２０に適用されるべき信号を生成する。
【０１３４】
[00165]処理システム３１１４は、コンピュータ可読媒体／メモリ３１０６に結合されたプロセッサ３１０４を含む。プロセッサ３１０４は、コンピュータ可読媒体／メモリ３１０６上に記憶されたソフトウェアの実行を含む一般的な処理を担当する。ソフトウェアは、プロセッサ３１０４によって実行されたとき、処理システム３１１４に、任意の特定の装置のための上記で説明した様々な機能を実行させる。コンピュータ可読媒体／メモリ３１０６はまた、ソフトウェアを実行するときにプロセッサ３１０４によって操作されるデータを記憶するために使用され得る。処理システムは、コンポーネント３００４、３００６、および３００８のうちの少なくとも１つをさらに含む。それらのコンポーネントは、プロセッサ３１０４中で動作し、コンピュータ可読媒体／メモリ３１０６中に存在する／記憶されたソフトウェアコンポーネントであり得るか、プロセッサ３１０４に結合された１つまたは複数のハードウェアコンポーネントであり得るか、またはそれらの何らかの組合せであり得る。処理システム３１１４は、ＵＥ６５０のコンポーネントであり得、メモリ６６０および／またはＴＸプロセッサ６６８と、ＲＸプロセッサ６５６と、コントローラ／プロセッサ６５９とのうちの少なくとも１つを含み得る。
【０１３５】
[00166]一構成では、ワイヤレス通信のための装置３００２／３００２’は、ＵＥをサービスするサービングセルのネイバリングセルのリストを受信するための手段と、ＳＡＩｓのリストを受信するための手段とを含み、ＳＡＩｓのリストが、サービングセルと、ネイバリングセルのうちの１つまたは複数とによってサポートされるＳＡＩｓを含む。ＳＡＩｓのうちの少なくとも１つが、ネイバリングセルのリスト中に含まれるネイバリングセルのうちの１つまたは複数にＳＡＩをマッピングするマッピング情報を含むようにフォーマットされる。ワイヤレス通信のための装置３００２／３００２’は、ＳＡＩをサポートする１つまたは複数のネイバリングセルを決定するために少なくとも１つのＳＡＩを処理するための手段をさらに含む。処理するための手段は、ＳＡＩをＳＡＩインデックスに変換することと、マッピング領域からマッピング情報を取得することと、マッピング情報に基づいてＳＡＩをサポートする１つまたは複数のネイバリングセルを決定することとを行うように構成され得る。ワイヤレス通信のための装置３００２／３００２’は、関心インジケーションメッセージをサービングセルの基地局に送るための手段をさらに含み得、関心インジケーションメッセージは、ＵＥがそれにハンドオーバすることを希望するネイバリングセルのＰＣＩを含む。
【０１３６】
[00167]上述の手段は、上述の手段によって具陳された機能を実行するように構成された、装置３００２、および／または装置３００２’の処理システム３１１４の上述のコンポーネントのうちの１つまたは複数であり得る。上記で説明したように、処理システム３１１４は、ＴＸプロセッサ６６８と、ＲＸプロセッサ６５６と、コントローラ／プロセッサ６５９とを含み得る。したがって、一構成では、上述の手段は、上述の手段によって具陳された機能を実行するように構成された、ＴＸプロセッサ６６８と、ＲＸプロセッサ６５６と、コントローラ／プロセッサ６５９とであり得る。
【０１３７】
[00168]一構成では、コンピュータ可読媒体／メモリ３１０６は、サービングセルにキャンプオンされたＵＥによるワイヤレス通信のためのコンピュータ実行可能コードを記憶する。記憶されたコードは、サービングセルのネイバリングセルのリストを受信するためのコードと、サービスエリア識別子（ＳＡＩｓ）のリストを受信するためのコードとを含む。ＳＡＩｓのリストは、サービングセルと、ネイバリングセルのうちの１つまたは複数とによってサポートされるＳＡＩｓを含み、それらのＳＡＩｓのうちの少なくとも１つが、ネイバリングセルのリスト中に含まれるネイバリングセルのうちの１つまたは複数にＳＡＩをマッピングするマッピング情報を含むようにフォーマットされる。記憶されたコードは、ＳＡＩをサポートする１つまたは複数のネイバリングセルを決定するために少なくとも１つのＳＡＩを処理するためのコードをさらに含む。
【０１３８】
[00169]図３２は、ワイヤレス通信の方法のフローチャート３２００である。本方法は、サービングセルをサポートするネットワークコンポーネント（たとえば、ｅＮＢ、装置３３０２／３３０２’）によって実行され得る。動作３２０２において、ｅＮＢは、サービングセルのネイバリングセルのリストを第１のシステム情報メッセージ中に含める。ネイバリングセルのリストは、第１のシステム情報メッセージの第１のパラメータ中に含まれ得る。本明細書で開示される実施形態によれば、第１のパラメータはＳＩＢ１５中に含まれるネイバリングＰＣＩリストであり得、その場合、ＳＩＢ１５が第１のシステム情報メッセージである。たとえば、図１４に関して、第１のパラメータは、ＳＩＢ１５  １４０６中に含まれるｍｂｍｓ−ＳＡＩ−ＩｎｔｒａＦｒｅｑ−ｒ１１  １４１６であり得る。別の例では、図３５に関して、第１のパラメータは、ＳＩＢ１５  ３５０６中に含まれるｍｂｍｓ−Ｎｅｉｇｈｂｏｒｉｎｇ−ＰＣＩ−Ｌｉｓｔ−ＩｎｔｅｒＦｒｅｑ−ｒ１２であり得る。この実装形態では、追加情報、たとえば、ネイバリングセル情報は、第１のパラメータの追加によってＳＩＢ１５中に直接含まれる。別の実施形態では、第１のパラメータは、ＳＩＢ４またはＳＩＢ５中に含まれる、ネイバリングセル周波数情報、たとえば、ＰＣＩｓに対応し得、その場合、ＳＩＢ４またはＳＩＢ５が第１のシステム情報メッセージである。たとえば、図２１に関して、第１のパラメータは、ＳＩＢ４  ２１０８中に含まれるＰＣＩｓ２１２２であり得る。
【０１３９】
[00170]動作３２０４において、ｅＮＢは、ＳＡＩｓのリストを第２のシステム情報メッセージ中に含める。ＳＡＩｓのリストは、第２の情報メッセージの第２のパラメータ中に含まれ得る。本明細書で開示される実施形態によれば、第２のパラメータはＳＩＢ１５中に含まれるＳＡＩリストであり得、その場合、ＳＩＢ１５が第２の情報メッセージである。たとえば、図１４に関して、第２のパラメータは、ＳＩＢ１５  １４０６中に含まれるｍｂｍｓ−ＳＡＩ−ＩｎｔｒａＦｒｅｑ−ｒ１１  １４１６であり得る。別の例では、図３５に関して、第２のパラメータは、ＳＩＢ１５  ３５０６中に含まれるｍｂｍｓ−ＳＡＩ−ＩｎｔｅｒＦｒｅｑＬｉｓｔ−ｒ１１であり得る。ＳＡＩｓのリストは、サービングセルと、ネイバリングセルのうちの１つまたは複数とによってサポートされるＳＡＩｓを含む。ＳＡＩｓのうちの少なくとも１つは、ネイバリングセルのリスト中に含まれるネイバリングセルのうちの１つまたは複数にＳＡＩをマッピングするマッピング情報を含むようにフォーマットされる。たとえば、ＳＡＩは、複数のビットを備えるＳＡＩインデックスの１０進値または１６進値のうちの１つとしてフォーマットされ得、マッピング情報はＳＡＩインデックスのマッピング領域に含まれ得る。マッピング領域は、ＳＡＩインデックスのＭＳＢ領域中に対応し得る。ＳＡＩフォーマッティングおよびマッピング情報の例が、図１５、図１６、図２１、および図２２中に含まれる。
【０１４０】
[00171]上記で開示された実施形態によれば、第１のシステム情報メッセージと第２の情報メッセージとは同じメッセージであり得るか、または、それらは異なるメッセージであり得る。たとえば、第１の情報メッセージと第２の情報メッセージとは、ネイバリングセルのリストとＳＡＩｓのリストの両方を含む同じＳＩＢ、たとえば、ＳＩＢ１５であり得る。代替的に、第１の情報メッセージは、ネイバリングセルのリストを含むＳＩＢ４またはＳＩＢ５のうちの１つまたは複数であり得、第２の情報メッセージは、ＳＡＩｓのリストを含むＳＩＢ１５であり得る。ネイバリングセルのリストは、たとえばＳＩＢ４中に含まれる、周波数内ネイバリングセルのリスト、および、たとえばＳＩＢ５中に含まれる、周波数間ネイバリングセルのリストのうちの１つまたは複数を含み得る。
【０１４１】
[00172]動作３２０６において、ｅＮＢは、第１および第２のメッセージをＵＥに送信する。随意の動作３２０８において、ｅＮＢは、ＵＥからｅＭＢＭＳ関心インジケーションメッセージを受信し得る。このメッセージに応答して、ｅＮＢは、ＵＥに代わって１つまたは複数のセルハンドオーバ動作またはキャリアアグリゲーション動作を実行し得る。たとえば、サービングｅＮＢは、Ｘ２インターフェースを介してターゲットｅＮＢへのハンドオーバ要求を開始し得るか、または、ターゲットｅＮＢをキャリアアグリゲーション構成および複信タイプの情報とネゴシエートし得る。ネットワーキングシグナリングプロセスがサービングｅＮＢとターゲットｅＮＢとの間で行われると、サービングｅＮＢは、適切なセルハンドオーバまたはキャリアアグリゲーションプロセスのためにＵＥを支援し得る。
【０１４２】
[00173]図３３は、例示的な装置３３０２中の異なる手段／コンポーネント間のデータフローを示す概念データフロー図３３００である。本装置はｅＮＢであり得る。本装置は、サービングセルのネイバリングセルのリストを第１のシステム情報メッセージ中に含めるネイバーセルコンポーネント３３０４を含む。ネイバリングセルのリストは、第１のシステム情報メッセージの第１のパラメータ中に含まれ得る。たとえば、上述のように、いくつかの実施形態では、第１のパラメータは、ＳＩＢ１５中に含まれるネイバリングＰＣＩリストであり得る。他の実施形態では、第１のパラメータは、ＳＩＢ４またはＳＩＢ５中に含まれるネイバリングＰＣＩリストであり得る。ネイバーセルコンポーネント３３０４は、ｅＮＢがその内部で動作するネットワークから受信されたメッセージに基づいて、ネイバリングセルのリストを第１のメッセージの第１のパラメータ中に含め得る。言い換えれば、第１のパラメータおよび第１のメッセージ中に含まれる情報は、事前構成されたネットワーク展開情報であり得る。
【０１４３】
[00174]装置３３０２は、第２のシステム情報メッセージにＳＡＩｓのリストを含むＳＡＩコンポーネント３３０６をも含む。ＳＡＩのリストは、第２のシステム情報メッセージの第２のパラメータ中に含まれ得る。本明細書で開示される実施形態によれば、第２のパラメータはＳＩＢ１５中に含まれるＳＡＩリストであり得、その場合、ＳＩＢ１５が第２の情報メッセージである。ＳＡＩｓのリストは、サービングセルと、ネイバリングセルのうちの１つまたは複数とによってサポートされるＳＡＩｓを含む。ＳＡＩｓのうちの少なくとも１つは、ネイバリングセルのリスト中に含まれるネイバリングセルのうちの１つまたは複数にＳＡＩをマッピングするマッピング情報を含むようにフォーマットされる。ＳＡＩコンポーネント３３０６は、それ内でｅＮＢが動作するネットワークから受信されたメッセージに基づいて、ＳＡＩリストを第２のメッセージの第２のパラメータ中に含め得る。言い換えれば、第２のパラメータおよび第２のメッセージ中に含まれる情報は、事前構成されたネットワーク展開情報である。
【０１４４】
[00175]装置３３０２は、ＵＥ３３１０に第１および第２のメッセージを送信する送信コンポーネント３３０８をも含む。いくつかの実施形態では、第１のメッセージと第２のメッセージとは同じであり得る。たとえば、ＳＩＢ１５は、ネイバリングセル情報とＳＡＩ情報の両方を含むようにネットワークによって構成され得る。他の実施形態では、第１のメッセージは、周波数内ネイバリングセル情報と周波数間ネイバリングセル情報とを与えるようにそれぞれ構成されたＳＩＢ４および／またはＳＩＢ５であり得、第２のメッセージは、ＳＡＩ情報を与えるＳＩＢ１５であり得る。
【０１４５】
[00176]本装置は、受信コンポーネント３３１０とｅＭＢＭＳ関心インジケータコンポーネント３３１２とをも含み得る。受信コンポーネント３３１０は、ｅＭＢＭＳ関心インジケータ信号などの信号をＵＥから受信し得る。ｅＭＢＭＳ関心インジケータコンポーネント３３１２は、ＵＥに代わって１つまたは複数のセルハンドオーバ動作およびキャリアアグリゲーション動作を実行するために信号中の情報を処理する。
【０１４６】
[00177]本装置は、図３２の上述のフローチャート中のアルゴリズムの動作の各々を実行する追加のコンポーネントを含み得る。したがって、図３２の上述のフローチャート中の各動作は１つのコンポーネントによって実行され得、本装置は、それらのコンポーネントのうちの１つまたは複数を含み得る。コンポーネントは、述べられたプロセス／アルゴリズムを行うように特に構成された１つまたは複数のハードウェアコンポーネントであり得るか、述べられたプロセス／アルゴリズムを実行するように構成されたプロセッサによって実装され得るか、プロセッサによる実装のためにコンピュータ可読媒体内に記憶され得るか、またはそれらの何らかの組合せであり得る。
【０１４７】
[00178]図３４は、処理システム３４１４を採用する装置３３０２’のためのハードウェア実装形態の一例を示す図３４００である。処理システム３４１４は、バス３４２４によって一般的に表されるバスアーキテクチャを用いて実装され得る。バス３４２４は、処理システム３４１４の特定の適用例および全体的な設計制約に応じて、任意の数の相互接続バスおよびブリッジを含み得る。バス３４２４は、プロセッサ３４０４によって表される１つまたは複数のプロセッサおよび／またはハードウェアコンポーネントと、コンポーネント３３０４、３３０６、３３０８、３３１０、３３１２と、コンピュータ可読媒体／メモリ３４０６とを含む様々な回路を互いにリンクする。バス３４２４はまた、タイミングソース、周辺機器、電圧調整器、および電力管理回路など、様々な他の回路をリンクし得るが、これらは当技術分野においてよく知られており、したがって、これ以上説明しない。
【０１４８】
[00179]処理システム３４１４はトランシーバ３４１０に結合され得る。トランシーバ３４１０は１つまたは複数のアンテナ３４２０に結合される。トランシーバ３４１０は、伝送媒体を介して様々な他の装置と通信するための手段を与える。トランシーバ３４１０は、１つまたは複数のアンテナ３４２０から信号を受信し、受信された信号から情報を抽出し、抽出された情報を処理システム３４１４、特に受信コンポーネントに与える。さらに、トランシーバ３４１０は、処理システム３４１４から情報を受信し、受信された情報に基づいて、１つまたは複数のアンテナ３４２０に適用されるべき信号を生成する。
【０１４９】
[00180]処理システム３４１４は、コンピュータ可読媒体／メモリ３４０６に結合されたプロセッサ３４０４を含む。プロセッサ３４０４は、コンピュータ可読媒体／メモリ３４０６上に記憶されたソフトウェアの実行を含む一般的な処理を担当する。ソフトウェアは、プロセッサ３４０４によって実行されたとき、処理システム３４１４に、任意の特定の装置のための上記で説明された様々な機能を実行させる。コンピュータ可読媒体／メモリ３４０６はまた、ソフトウェアを実行するときにプロセッサ３４０４によって操作されるデータを記憶するために使用され得る。処理システムは、コンポーネント３３０４、３３０６、３３０８、３３１０および３３１２のうちの少なくとも１つをさらに含む。それらのコンポーネントは、プロセッサ３４０４中で動作し、コンピュータ可読媒体／メモリ３４０６中に存在する／記憶されたソフトウェアコンポーネントであり得るか、プロセッサ３４０４に結合された１つまたは複数のハードウェアコンポーネントであり得るか、またはそれらの何らかの組合せであり得る。処理システム３４１４は、ｅＮＢ６１０のコンポーネントであり得、メモリ６７６および／またはＴＸプロセッサ６１６と、ＲＸプロセッサ６７０と、コントローラ／プロセッサ６７５とのうちの少なくとも１つを含み得る。
【０１５０】
[00181]一構成では、ワイヤレス通信のための装置３３０２／３３０２’は、サービングセルのネイバリングセルのリストを第１のシステム情報メッセージ中に含めるための手段と、ＳＡＩｓのリストを第２のシステム情報メッセージ中に含めるための手段とを含み、ＳＡＩｓのリストが、サービングセルと、ネイバリングセルのうちの１つまたは複数とによってサポートされるＳＡＩｓを含む。ＳＡＩｓのうちの少なくとも１つは、ネイバリングセルのリスト中に含まれるネイバリングセルのうちの１つまたは複数にＳＡＩをマッピングするマッピング情報を含むようにフォーマットされる。
【０１５１】
[00182]上述の手段は、上述の手段によって具陳された機能を実行するように構成された、装置３３０２、および／または装置３３０２’の処理システム３４１４の上述のコンポーネントのうちの１つまたは複数であり得る。上記で説明されたように、処理システム３４１４は、ＴＸプロセッサ６１６と、ＲＸプロセッサ６７０と、コントローラ／プロセッサ６７５とを含み得る。したがって、一構成では、上述の手段は、上述の手段によって具陳された機能を実行するように構成された、ＴＸプロセッサ６１６と、ＲＸプロセッサ６７０と、コントローラ／プロセッサ６７５とであり得る。
【０１５２】
[00183]一構成では、コンピュータ可読媒体３４０６は、サービングセルをサポートするネットワークコンポーネントによるワイヤレス通信のためのコンピュータ実行可能コードを記憶する。記憶されたコードは、サービングセルのネイバリングセルのリストを第１のシステム情報メッセージ中に含め、ＳＡＩｓのリストを第２のシステム情報メッセージ中に含めるためのコードを含む。ＳＡＩｓのリストは、サービングセルと、ネイバリングセルのうちの１つまたは複数とによってサポートされるＳＡＩｓを含む。ＳＡＩｓのうちの少なくとも１つが、ネイバリングセルのリスト中に含まれるネイバリングセルのうちの１つまたは複数にＳＡＩをマッピングするマッピング情報を含むようにフォーマットされる。
【０１５３】
[00184]図３６は、ワイヤレス通信の方法のフローチャート３６００である。本方法は、サービングセルにキャンプオンされたＵＥによって実行され得る。動作３６０２において、ＵＥは、サービングセルに関連付けられた周波数内ネイバリングセルのリストを含む第１のシステム情報メッセージを取得する。第１のシステム情報メッセージは、リストを与えるパラメータを含むように構成されたＳＩＢ１５、または周波数内ネイバリングセルリストを含むＳＩＢ４であり得る。
【０１５４】
[00185]動作３６０４において、ＵＥは、サービングセルに関連付けられた周波数間ネイバリングセルの少なくとも１つのリストを含む第２のシステム情報メッセージを取得する。第２のシステム情報メッセージは、リストを与えるパラメータを含むように構成されたＳＩＢ１５、または周波数間ネイバリングセルリストを含むＳＩＢ５であり得る。周波数間ネイバリングセルのリストは複数のリストを含み得、各リストが異なるキャリア周波数に対応する。
【０１５５】
[00186]要約すれば、本明細書で開示される代替のうちの１つまたは複数によれば、ＵＥが、ＵＥがキャンプオンされたサービングセルによってサポートされるＳＡＩｓのリストを受信する。リストは、サービングセルのネイバリングセルによってサポートされるＳＡＩｓをも含む。ＳＡＩｓは、ネイバリングセルのうちの１つまたは複数に各ＳＡＩをマッピングするビットマッピング情報を含むようにフォーマットされ得る。ビットマッピングを介して相関させられるべきネイバリングセルは、ＵＥにＳＡＩリストを与えたＳＩＢメッセージ中に含まれるネイバリングセルに対応し得る。代替的に、ビットマッピングを介して相関させられるべきネイバリングセルは、別個のＳＩＢメッセージ中でＵＥに与えられるネイバリングセルのリスト中に含まれ得る。ビットマッピングは、ＵＥがネイバリングセルへのＳＡＩｓの厳密なマッピングを取得することを可能にする。これは、ビットマッピングが、マルチセル、マルチバンドシナリオの下でより効率的なｅＭＢＭＳサービスアクティブ化を与え、セル境界において周波数内セルカバレージを拡張し、ｅＭＢＭＳサービスに対するキャリアアグリゲーションサポートについての特定のセルのより正確な要求を与えるという点で有益である。
【０１５６】
[00187]開示されたプロセス／フローチャートにおける動作の特定の順序または階層は、例示的な手法の一例であることを理解されたい。設計選好に基づいて、プロセス／フローチャートにおける動作の特定の順序または階層は再構成され得ることを理解されたい。さらに、いくつかの動作は組み合わせられるかまたは省略され得る。添付の方法クレームは、様々な動作の要素を例示的な順序で提示したものであり、提示された特定の順序または階層に限定されるものではない。
【０１５７】
[00188]以上の説明は、当業者が本明細書で説明された様々な態様を実施できるようにするために与えられる。これらの態様への様々な変更は当業者には容易に明らかであり、本明細書で定義された一般的原理は他の態様に適用され得る。したがって、特許請求の範囲は、本明細書に示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。「例示的」という単語は、本明細書では「例、事例、または例示の働きをすること」を意味するために使用される。「例示的」として本明細書で説明されるいかなる態様も、必ずしも他の態様よりも好適または有利であると解釈されるべきであるとは限らない。別段に明記されていない限り、「いくつか（some）」という用語は１つまたは複数を指す。「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。詳細には、「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、いかなるそのような組合せも、Ａ、Ｂ、またはＣのうちの１つまたは複数のメンバーを含んでいることがある。当業者に知られている、または後に知られることになる、本開示全体にわたって説明された様々な態様の要素のすべての構造的および機能的均等物は、参照により本明細書に明確に組み込まれ、特許請求の範囲に包含されるものである。その上、本明細書で開示されたいかなることも、そのような開示が特許請求の範囲に明示的に具陳されているかどうかにかかわらず、公に供するものではない。いかなるクレーム要素も、その要素が「ための手段」という句を使用して明確に具陳されていない限り、ミーンズプラスファンクションとして解釈されるべきではない。
以下に、本願出願の当初の特許請求の範囲に記載された発明を付記する。
［Ｃ１］
サービングセルにキャンプオンされたユーザ機器（ＵＥ）のワイヤレス通信の方法であって、
前記ＵＥがキャンプオンされた前記サービングセルのネイバリングセルのリストを受信することと、
サービスエリア識別子（ＳＡＩ）のリストを受信することと、ＳＡＩの前記リストが、前記サービングセルと、前記ネイバリングセルのうちの１つまたは複数とによってサポートされるＳＡＩを含み、少なくとも１つのＳＡＩが、ネイバリングセルの前記リスト中に含まれる前記ネイバリングセルのうちの１つまたは複数に前記少なくとも１つのＳＡＩをマッピングするマッピング情報を含むようにフォーマットされ、
前記少なくとも１つのＳＡＩをサポートする１つまたは複数のネイバリングセルを決定するために前記少なくとも１つのＳＡＩを処理することと、
を備える、方法。
［Ｃ２］
前記少なくとも１つのＳＡＩが、複数のビットを備えるＳＡＩインデックスの１０進値または１６進値のうちの１つとしてフォーマットされ、前記マッピング情報が前記ＳＡＩインデックスのマッピング領域中に含まれ、前記処理することが、
前記少なくとも１つのＳＡＩを前記ＳＡＩインデックスに変換することと、
前記マッピング領域から前記マッピング情報を取得することと、
前記マッピング情報に基づいて前記少なくとも１つのＳＡＩをサポートする前記１つまたは複数のネイバリングセルを決定することと、
を備える、Ｃ１に記載の方法。
［Ｃ３］
前記ＳＡＩインデックスの前記マッピング領域が前記ＳＡＩインデックスの最上位ビット（ＭＳＢ）領域に対応する、Ｃ２に記載の方法。
［Ｃ４］
前記ＭＳＢ領域が複数の拡張ビットを備え、前記マッピング領域が前記複数の拡張ビットのうちの１つまたは複数に対応する、Ｃ３に記載の方法。
［Ｃ５］
前記マッピング領域が前記１つまたは複数のネイバリングセルの各々について１ビットを備える、Ｃ２に記載の方法。
［Ｃ６］
ネイバリングセルに対応するビットの値は、そのネイバリングセルが前記少なくとも１つのＳＡＩをサポートするかどうかを示す、Ｃ５に記載の方法。
［Ｃ７］
関心インジケーションメッセージを前記サービングセルに送ることをさらに備え、前記関心インジケーションメッセージは、前記ＵＥがそれにハンドオーバすることを希望するネイバリングセルの物理セル識別情報（ＰＣＩ）を含む、Ｃ１に記載の方法。
［Ｃ８］
前記関心インジケーションメッセージが、前記ＰＣＩに対応する前記ネイバリングセル上でキャリアアグリゲーションサポートを開始するためのキャリアアグリゲーションインデックス（ＣＡＩ）をさらに含む、Ｃ７に記載の方法。
［Ｃ９］
前記ＣＡＩが、前記ネイバリングセルのための選好される機能を前記サービングセルのネットワークエンティティに示し、前記選好される機能が、２次コンポーネントキャリアとしてのサービス、１次コンポーネントキャリアとしてのサービス、またはダウンリンク専用キャリアを指す構成可能な２次セルとしてのサービスのうちの１つである、Ｃ８に記載の方法。
［Ｃ１０］
ＳＡＩの前記リストがセルのセットに関連付けられ、セルの前記セット中の各セルが物理セル識別情報（ＰＣＩ）によって識別される、Ｃ１に記載の方法。
［Ｃ１１］
ネイバリングセルの前記リストが、前記ＵＥによって受信された第１のシステム情報メッセージ中に含まれるインデックスに基づいて取得され、前記インデックスが、ＳＡＩの前記リスト中の少なくとも１つのＳＡＩについて、前記少なくとも１つのＳＡＩをサポートするＰＣＩのセットを暗黙的に定義する、Ｃ１０に記載の方法。
［Ｃ１２］
ワイヤレス通信のためのユーザ機器（ＵＥ）であって、
前記ＵＥがキャンプオンされたサービングセルのネイバリングセルのリストを受信するための手段と、
サービスエリア識別子（ＳＡＩ）のリストを受信するための手段と、ＳＡＩの前記リストが、前記サービングセルと、前記ネイバリングセルのうちの１つまたは複数とによってサポートされるＳＡＩを含み、少なくとも１つのＳＡＩが、ネイバリングセルの前記リスト中に含まれる前記ネイバリングセルのうちの１つまたは複数に前記少なくとも１つのＳＡＩをマッピングするマッピング情報を含むようにフォーマットされ、
前記少なくとも１つのＳＡＩをサポートする１つまたは複数のネイバリングセルを決定するために前記少なくとも１つのＳＡＩを処理するための手段と、
を備える、ＵＥ。
［Ｃ１３］
前記少なくとも１つのＳＡＩが、複数のビットを備えるＳＡＩインデックスの１０進値または１６進値のうちの１つとしてフォーマットされ、前記マッピング情報が前記ＳＡＩインデックスのマッピング領域中に含まれ、処理するための前記手段が、
前記少なくとも１つのＳＡＩを前記ＳＡＩインデックスに変換することと、
前記マッピング領域から前記マッピング情報を取得することと、
前記マッピング情報に基づいて前記少なくとも１つのＳＡＩをサポートする前記１つまたは複数のネイバリングセルを決定することと、
を行うように構成された、Ｃ１２に記載のＵＥ。
［Ｃ１４］
前記ＳＡＩインデックスの前記マッピング領域が前記ＳＡＩインデックスの最上位ビット（ＭＳＢ）領域に対応する、Ｃ１３に記載のＵＥ。
［Ｃ１５］
前記ＭＳＢ領域が複数の拡張ビットを備え、前記マッピング領域が前記複数の拡張ビットのうちの１つまたは複数に対応する、Ｃ１４に記載のＵＥ。
［Ｃ１６］
前記マッピング領域が前記１つまたは複数のネイバリングセルの各々について１ビットを備える、Ｃ１３に記載のＵＥ。
［Ｃ１７］
ネイバリングセルに対応するビットの値は、そのネイバリングセルが前記少なくとも１つのＳＡＩをサポートするかどうかを示す、Ｃ１６に記載のＵＥ。
［Ｃ１８］
関心インジケーションメッセージを前記サービングセルに送るための手段をさらに備え、前記関心インジケーションメッセージは、前記ＵＥがそれにハンドオーバすることを希望するネイバリングセルの物理セル識別情報（ＰＣＩ）を含む、Ｃ１２に記載のＵＥ。
［Ｃ１９］
前記関心インジケーションメッセージが、前記ＰＣＩに対応する前記ネイバリングセル上でキャリアアグリゲーションサポートを開始するためのキャリアアグリゲーションインデックス（ＣＡＩ）をさらに含む、Ｃ１８に記載のＵＥ。
［Ｃ２０］
前記ＣＡＩが、前記ネイバリングセルのための選好される機能を前記サービングセルのネットワークエンティティに示し、前記選好される機能が、２次コンポーネントキャリアとしてのサービス、１次コンポーネントキャリアとしてのサービス、またはダウンリンク専用キャリアを指す構成可能な２次セルとしてのサービスのうちの１つである、Ｃ１９に記載のＵＥ。
［Ｃ２１］
ＳＡＩの前記リストがセルのセットに関連付けられ、セルの前記セット中の各セルが物理セル識別情報（ＰＣＩ）によって識別される、Ｃ１２に記載のＵＥ。
［Ｃ２２］
ネイバリングセルの前記リストが、前記ＵＥによって受信された第１のシステム情報メッセージ中に含まれるインデックスに基づいて取得され、前記インデックスが、ＳＡＩの前記リスト中の少なくとも１つのＳＡＩについて、前記少なくとも１つのＳＡＩをサポートするＰＣＩのセットを暗黙的に定義する、Ｃ２１に記載のＵＥ。
［Ｃ２３］
ワイヤレス通信のためのユーザ機器（ＵＥ）であって、
メモリと、
前記メモリに結合され、
前記ＵＥがキャンプオンされたサービングセルのネイバリングセルのリストを受信することと、
サービスエリア識別子（ＳＡＩ）のリストを受信することと、ＳＡＩの前記リストが、前記サービングセルと、前記ネイバリングセルのうちの１つまたは複数とによってサポートされるＳＡＩを含み、少なくとも１つのＳＡＩが、ネイバリングセルの前記リスト中に含まれる前記ネイバリングセルのうちの１つまたは複数に前記少なくとも１つのＳＡＩをマッピングするマッピング情報を含むようにフォーマットされ、
前記少なくとも１つのＳＡＩをサポートする１つまたは複数のネイバリングセルを決定するために前記少なくとも１つのＳＡＩを処理することと、
を行うように構成された、少なくとも１つのプロセッサと、
を備える、ＵＥ。
［Ｃ２４］
前記少なくとも１つのＳＡＩが、複数のビットを備えるＳＡＩインデックスの１０進値または１６進値のうちの１つとしてフォーマットされ、前記マッピング情報が前記ＳＡＩインデックスのマッピング領域中に含まれ、前記少なくとも１つのプロセッサが、
前記少なくとも１つのＳＡＩを前記ＳＡＩインデックスに変換することと、
前記マッピング領域から前記マッピング情報を取得することと、
前記マッピング情報に基づいて前記少なくとも１つのＳＡＩをサポートする前記１つまたは複数のネイバリングセルを決定することと、
によって前記少なくとも１つのＳＡＩを処理する、Ｃ２３に記載のＵＥ。
［Ｃ２５］
前記ＳＡＩインデックスの前記マッピング領域が前記ＳＡＩインデックスの最上位ビット（ＭＳＢ）領域に対応する、Ｃ２４に記載のＵＥ。
［Ｃ２６］
前記ＭＳＢ領域が複数の拡張ビットを備え、前記マッピング領域が前記複数の拡張ビットのうちの１つまたは複数に対応する、Ｃ２５に記載のＵＥ。
［Ｃ２７］
前記マッピング領域が前記１つまたは複数のネイバリングセルの各々について１ビットを備える、Ｃ２４に記載のＵＥ。
［Ｃ２８］
ネイバリングセルに対応するビットの値は、そのネイバリングセルが前記少なくとも１つのＳＡＩをサポートするかどうかを示す、Ｃ２７に記載のＵＥ。
［Ｃ２９］
前記少なくとも１つのプロセッサが、関心インジケーションメッセージを前記サービングセルに送るように構成され、前記関心インジケーションメッセージは、前記ＵＥがそれにハンドオーバすることを希望するネイバリングセルの物理セル識別情報（ＰＣＩ）を含む、Ｃ２３に記載のＵＥ。
［Ｃ３０］
前記関心インジケーションメッセージが、前記ＰＣＩに対応する前記ネイバリングセル上でキャリアアグリゲーションサポートを開始するためのキャリアアグリゲーションインデックス（ＣＡＩ）をさらに含む、Ｃ２９に記載のＵＥ。
［Ｃ３１］
前記ＣＡＩが、前記ネイバリングセルのための選好される機能を前記サービングセルのネットワークエンティティに示し、前記選好される機能が、２次コンポーネントキャリアとしてのサービス、１次コンポーネントキャリアとしてのサービス、またはダウンリンク専用キャリアを指す構成可能な２次セルとしてのサービスのうちの１つである、Ｃ３０に記載のＵＥ。
［Ｃ３２］
ＳＡＩの前記リストがセルのセットに関連付けられ、セルの前記セット中の各セルが物理セル識別情報（ＰＣＩ）によって識別される、Ｃ２３に記載のＵＥ。
［Ｃ３３］
ネイバリングセルの前記リストが、前記ＵＥによって受信された第１のシステム情報メッセージ中に含まれるインデックスに基づいて取得され、前記インデックスが、ＳＡＩの前記リスト中の少なくとも１つのＳＡＩについて、前記少なくとも１つのＳＡＩをサポートするＰＣＩのセットを暗黙的に定義する、Ｃ３２に記載のＵＥ。
［Ｃ３４］
ユーザ機器（ＵＥ）のワイヤレス通信のためのコンピュータ実行可能コードを記憶するコンピュータ可読媒体であって、
前記ＵＥがキャンプオンされたサービングセルのネイバリングセルのリストを受信することと、
サービスエリア識別子（ＳＡＩ）のリストを受信することと、ＳＡＩの前記リストが、前記サービングセルと、前記ネイバリングセルのうちの１つまたは複数とによってサポートされるＳＡＩを含み、少なくとも１つのＳＡＩが、ネイバリングセルの前記リスト中に含まれる前記ネイバリングセルのうちの１つまたは複数に前記少なくとも１つのＳＡＩをマッピングするマッピング情報を含むようにフォーマットされ、
前記少なくとも１つのＳＡＩをサポートする１つまたは複数のネイバリングセルを決定するために前記少なくとも１つのＳＡＩを処理することと、
を行うためのコードを備える、コンピュータ可読媒体。
［Ｃ３５］
サービングセルをサポートするネットワークコンポーネントのワイヤレス通信の方法であって、
前記サービングセルのネイバリングセルのリストを第１のシステム情報メッセージ中に含めることと、
サービスエリア識別子（ＳＡＩ）のリストを第２のシステム情報メッセージ中に含めることと、ＳＡＩの前記リストが、前記サービングセルと、前記ネイバリングセルのうちの１つまたは複数とによってサポートされる複数のＳＡＩを含み、
ここにおいて、前記複数のＳＡＩのうちの少なくとも１つが、ネイバリングセルの前記リスト中に含まれる前記ネイバリングセルのうちの１つまたは複数に前記複数のＳＡＩのうちの前記少なくとも１つをマッピングするマッピング情報を含むようにフォーマットされ、
を備える、方法。
［Ｃ３６］
前記第１のシステム情報メッセージと前記第２のシステム情報メッセージとが同じメッセージである、Ｃ３５に記載の方法。
［Ｃ３７］
前記同じメッセージがシステム情報ブロック（ＳＩＢ）を備える、Ｃ３６に記載の方法。
［Ｃ３８］
前記ＳＩＢがＳＩＢ１５である、Ｃ３７に記載の方法。
［Ｃ３９］
前記第１のシステム情報メッセージと前記第２のシステム情報メッセージとが異なるメッセージである、Ｃ３５に記載の方法。
［Ｃ４０］
前記第１のシステム情報メッセージがＳＩＢ４およびＳＩＢ５のうちの１つを備え、前記第２のシステム情報メッセージがＳＩＢ１５を備える、Ｃ３９に記載の方法。
［Ｃ４１］
前記複数のＳＡＩのうちの前記少なくとも１つが、複数のビットを備えるＳＡＩインデックスの１０進値または１６進値のうちの１つとしてフォーマットされ、
前記マッピング情報が前記ＳＡＩインデックスのマッピング領域中に含まれる、
Ｃ３５に記載の方法。
［Ｃ４２］
前記マッピング領域が前記ＳＡＩインデックスの最上位ビット（ＭＳＢ）領域に対応する、Ｃ４１に記載の方法。
［Ｃ４３］
サービングセルをサポートするネットワークコンポーネントのワイヤレス通信のための装置であって、
前記サービングセルのネイバリングセルのリストを第１のシステム情報メッセージ中に含めるための手段と、
サービスエリア識別子（ＳＡＩ）のリストを第２のシステム情報メッセージ中に含めるための手段と、ＳＡＩの前記リストが、前記サービングセルと、前記ネイバリングセルのうちの１つまたは複数とによってサポートされる複数のＳＡＩを含み、
ここにおいて、前記複数のＳＡＩのうちの少なくとも１つが、ネイバリングセルの前記リスト中に含まれる前記ネイバリングセルのうちの１つまたは複数に前記複数のＳＡＩのうちの前記少なくとも１つをマッピングするマッピング情報を含むようにフォーマットされ、
を備える、装置。
［Ｃ４４］
前記第１のシステム情報メッセージと前記第２のシステム情報メッセージとが同じメッセージである、Ｃ４３に記載の装置。
［Ｃ４５］
前記同じメッセージがシステム情報ブロック（ＳＩＢ）を備える、Ｃ４４に記載の装置。
［Ｃ４６］
前記ＳＩＢがＳＩＢ１５である、Ｃ４５に記載の装置。
［Ｃ４７］
前記第１のシステム情報メッセージと前記第２のシステム情報メッセージとが異なるメッセージである、Ｃ４３に記載の装置。
［Ｃ４８］
前記第１のシステム情報メッセージがＳＩＢ４およびＳＩＢ５のうちの１つを備え、前記第２のシステム情報メッセージがＳＩＢ１５を備える、Ｃ４７に記載の装置。
［Ｃ４９］
前記複数のＳＡＩのうちの前記少なくとも１つが、複数のビットを備えるＳＡＩインデックスの１０進値または１６進値のうちの１つとしてフォーマットされ、
前記マッピング情報が前記ＳＡＩインデックスのマッピング領域中に含まれる、
Ｃ４３に記載の装置。
［Ｃ５０］
前記マッピング領域が前記ＳＡＩインデックスの最上位ビット（ＭＳＢ）領域に対応する、Ｃ４９に記載の装置。
［Ｃ５１］
ワイヤレス通信のための装置であって、
メモリと、
前記メモリに結合され、
サービングセルのネイバリングセルのリストを第１のシステム情報メッセージ中に含めることと、
サービスエリア識別子（ＳＡＩ）のリストを第２のシステム情報メッセージ中に含めることと、ＳＡＩの前記リストが、前記サービングセルと、前記ネイバリングセルのうちの１つまたは複数とによってサポートされる複数のＳＡＩを含み、
ここにおいて、前記複数のＳＡＩのうちの少なくとも１つが、ネイバリングセルの前記リスト中に含まれる前記ネイバリングセルのうちの１つまたは複数に前記複数のＳＡＩのうちの前記少なくとも１つをマッピングするマッピング情報を含むようにフォーマットされ、
を行うように構成された、少なくとも１つのプロセッサと、
を備える、装置。
［Ｃ５２］
前記第１のシステム情報メッセージと前記第２のシステム情報メッセージとが同じメッセージである、Ｃ５１に記載の装置。
［Ｃ５３］
前記同じメッセージがシステム情報ブロック（ＳＩＢ）を備える、Ｃ５２に記載の装置。
［Ｃ５４］
前記ＳＩＢがＳＩＢ１５である、Ｃ５３に記載の装置。
［Ｃ５５］
前記第１のシステム情報メッセージと前記第２のシステム情報メッセージとが異なるメッセージである、Ｃ５１に記載の装置。
［Ｃ５６］
前記第１のシステム情報メッセージがＳＩＢ４およびＳＩＢ５のうちの１つを備え、前記第２のシステム情報メッセージがＳＩＢ１５を備える、Ｃ５５に記載の装置。
［Ｃ５７］
前記複数のＳＡＩのうちの前記少なくとも１つが、複数のビットを備えるＳＡＩインデックスの１０進値または１６進値のうちの１つとしてフォーマットされ、
前記マッピング情報が前記ＳＡＩインデックスのマッピング領域中に含まれる、
Ｃ５１に記載の装置。
［Ｃ５８］
前記マッピング領域が前記ＳＡＩインデックスの最上位ビット（ＭＳＢ）領域に対応する、Ｃ５７に記載の装置。
［Ｃ５９］
サービングセルをサポートするネットワークコンポーネントのワイヤレス通信のためのコンピュータ実行可能コードを記憶するコンピュータ可読媒体であって、
前記サービングセルのネイバリングセルのリストを第１のシステム情報メッセージ中に含めることと、
サービスエリア識別子（ＳＡＩ）のリストを第２のシステム情報メッセージ中に含めることと、ＳＡＩの前記リストが、前記サービングセルと、前記ネイバリングセルのうちの１つまたは複数とによってサポートされる複数のＳＡＩを含み、
ここにおいて、前記複数のＳＡＩのうちの少なくとも１つが、ネイバリングセルの前記リスト中に含まれる前記ネイバリングセルのうちの１つまたは複数に前記複数のＳＡＩのうちの前記少なくとも１つをマッピングするマッピング情報を含むようにフォーマットされ、
を行うためのコードを備える、コンピュータ可読媒体。
【図１】
0006594962.tif 000002
【図２】
0006594962.tif 000003
【図３】
0006594962.tif 000004
【図４】
0006594962.tif 000005
【図５】
0006594962.tif 000006
【図６】
0006594962.tif 000007
【図７Ａ】
0006594962.tif 000008
【図７Ｂ】
0006594962.tif 000009
【図８】
0006594962.tif 000010
【図９】
0006594962.tif 000011
【図１０】
0006594962.tif 000012
【図１１】
0006594962.tif 000013
【図１２】
0006594962.tif 000014
【図１３】
0006594962.tif 000015
【図１４】
0006594962.tif 000016
【図１５】
0006594962.tif 000017
【図１６】
0006594962.tif 000018
【図１７】
0006594962.tif 000019
【図１８】
0006594962.tif 000020
【図１９】
0006594962.tif 000021
【図２０】
0006594962.tif 000022
【図２１】
0006594962.tif 000023
【図２２】
0006594962.tif 000024
【図２３】
0006594962.tif 000025
【図２４】
0006594962.tif 000026
【図２５】
0006594962.tif 000027
【図２６】
0006594962.tif 000028
【図２７】
0006594962.tif 000029
【図２８】
0006594962.tif 000030
【図２９】
0006594962.tif 000031
【図３０】
0006594962.tif 000032
【図３１】
0006594962.tif 000033
【図３２】
0006594962.tif 000034
【図３３】
0006594962.tif 000035
【図３４】
0006594962.tif 000036
【図３５】
0006594962.tif 000037
【図３６】
0006594962.tif 000038
【図３７】
0006594962.tif 000039